(57)【要約】  いくつかの実施形態によれば、無線デバイス（１１０）による方法（５００）が、狭帯域２次同期信号（ＮＳＳＳ）送信ダイバーシティ方式に関係する情報を受信することを含む。情報は、異なるＮＳＳＳ送信ダイバーシティ設定を使用するＮＳＳＳオケージョンの数を指示する。ＮＳＳＳ送信ダイバーシティ方式に基づいて、少なくとも１つの測定がＮＳＳＳオケージョンにわたって実施される。【選択図】図１２
2021505009.tif 000002
【特許請求の範囲】
【請求項１】
無線デバイス（１１０）による方法（５００）であって、前記方法は、
狭帯域２次同期信号（ＮＳＳＳ）送信ダイバーシティ方式に関係する情報を受信することであって、前記情報が、異なるＮＳＳＳ送信ダイバーシティ設定を使用するＮＳＳＳオケージョンの数を指示する、情報を受信すること
を含み、
受信された指示が、前記ＮＳＳＳオケージョンにわたって少なくとも１つの測定を実施する際に使用するためのものである、方法（５００）。
【請求項２】
前記異なるＮＳＳＳ送信ダイバーシティ設定が複数の異なるプリコーダを備える、請求項１に記載の方法。
【請求項３】
前記少なくとも１つの測定を実施することが、ＮＳＳＳ送信ダイバーシティ期間を規定する、整数Ｎ個の連続するＮＳＳＳ送信に対して前記少なくとも１つの測定を実施することを含む、請求項１または２に記載の方法。
【請求項４】
前記少なくとも１つの測定を実施することが、多数のＮＳＳＳ送信ダイバーシティ期間にわたって前記少なくとも１つの測定を実施することを含む、請求項３に記載の方法。
【請求項５】
前記少なくとも１つの測定を実施することが、前記数Ｎ個の連続するＮＳＳＳオケージョンにわたる平均を決定することを含む、請求項１から４のいずれか一項に記載の方法。
【請求項６】
前記少なくとも１つの測定を実施することは、
Ｎよりも小さいある数の連続するサブフレームにわたる前記少なくとも１つの測定の平均が、精度のしきい値レベルを満たすと決定することと、
少なくとも１つの連続するサブフレームにわたって前記少なくとも１つの測定を実施することを中止することと
を含む、請求項１から５のいずれか一項に記載の方法。
【請求項７】
各ＮＳＳＳオケージョンが、１つのサブフレームの持続時間の間のＮＳＳＳ送信を備える、請求項１から６のいずれか一項に記載の方法。
【請求項８】
前記ＮＳＳＳ送信ダイバーシティ方式が、ＮＳＳＳアンテナポートの数Ｌと、ＮＳＳＳ送信ダイバーシティ期間内の各ＮＳＳＳオケージョンについて各ＮＳＳＳアンテナポートから１つまたは複数の物理アンテナポートへのマッピングを規定するプリコーダ行列のセットとを備える、請求項１から７のいずれか一項に記載の方法。
【請求項９】
前記少なくとも１つの測定を実施することが、ある数Ｋ個の狭帯域参照信号（ＮＲＳ）アンテナポートに対して前記少なくとも１つの測定を実施することを含み、Ｋが整数である、請求項１から８のいずれか一項に記載の方法。
【請求項１０】
前記少なくとも１つの測定を実施することが、ある数Ｍ個の測定オケージョンに対する前記少なくとも１つの測定を推定しながら、前記Ｍ個の測定オケージョンにわたる前記数Ｋ個のＮＲＳアンテナポートに対するＮＲＳ測定の等しい分布を得ることを試みることを含み、ＭがＫよりも大きいかまたはそれに等しい、請求項９に記載の方法。
【請求項１１】
前記ＮＳＳＳ送信ダイバーシティ方式に関係する前記情報が、ネットワークノード（１１５）から、マスタ情報ブロックまたはシステム情報ブロック中で受信される、請求項１から１０のいずれか一項に記載の方法。
【請求項１２】
前記ＮＳＳＳ送信ダイバーシティ方式に関係する前記情報が、ネットワークノード（１１５）から、ページングメッセージ情報ブロックの一部として、または直接指示の一部として受信される、請求項１から１０のいずれか一項に記載の方法。
【請求項１３】
前記ＮＳＳＳ送信ダイバーシティ方式に関係する前記情報が、ネットワークノード（１１５）から、専用無線リソース設定（ＲＲＣ）情報エレメント（ＩＥ）またはレイヤ１制御メッセージ中で受信される、請求項１から１０のいずれか一項に記載の方法。
【請求項１４】
前記少なくとも１つの測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、請求項１から１３のいずれか一項に記載の方法。
【請求項１５】
コンピュータ可読プログラムコードを記憶する非一時的コンピュータ可読媒体を備えるコンピュータプログラム製品であって、前記コンピュータ可読プログラムコードが、請求項１から１３に記載の方法のうちのいずれか１つを実施するためのプログラムコードを含む、コンピュータプログラム製品。
【請求項１６】
無線デバイス（１１０）であって、
命令を記憶するメモリ（２３０）と、
前記無線デバイスに、
狭帯域２次同期信号（ＮＳＳＳ）送信ダイバーシティ方式に関係する情報を受信することであって、前記情報が、異なるＮＳＳＳ送信ダイバーシティ設定を使用するＮＳＳＳオケージョンの数を指示する、情報を受信すること
を行わせるために前記命令を実行するように動作可能な処理回路要素（２２０）と
備え、
前記受信された情報が、ＮＳＳＳオケージョンにわたって少なくとも１つの測定を実施するためのものである、無線デバイス（１１０）。
【請求項１７】
前記異なるＮＳＳＳ送信ダイバーシティ設定が複数の異なるプリコーダを備える、請求項１６に記載の無線デバイス。
【請求項１８】
前記少なくとも１つの測定を実施することが、一度にある数Ｎ個の連続するＮＳＳＳオケージョンに対して前記少なくとも１つの測定を実施することを含み、Ｎが整数である、請求項１６または１７に記載の無線デバイス。
【請求項１９】
前記少なくとも１つの測定を実施することが、ある数Ｍ個の測定オケージョン中に前記少なくとも１つの測定を推定することを含み、各測定オケージョン中に、Ｎ個の後続のＮＳＳＳサブフレームがサンプリングされる、請求項１６から１８のいずれか一項に記載の無線デバイス。
【請求項２０】
前記少なくとも１つの測定を実施することが、ある数Ｎ個の連続するＮＳＳＳオケージョンにわたる平均を決定することを含む、請求項１６から１９のいずれか一項に記載の無線デバイス。
【請求項２１】
前記少なくとも１つの測定を実施することは、
Ｎよりも小さいある数の連続するサブフレームにわたる前記少なくとも１つの測定の平均が、精度のしきい値レベルを満たすと決定することと、
少なくとも１つの連続するサブフレームにわたって前記少なくとも１つの測定を実施することを中止することと
を含む、請求項１６から２０のいずれか一項に記載の無線デバイス。
【請求項２２】
各ＮＳＳＳオケージョンがサブフレームを備える、請求項１６から２１のいずれか一項に記載の無線デバイス。
【請求項２３】
ＮＳＳＳ送信配信方式が、ＮＳＳＳアンテナポートの数Ｌと、各ＮＳＳＳアンテナポートから物理アンテナポートへのマッピングを指示する何らかのプリコーダ行列とを備える、請求項１６から２２のいずれか一項に記載の無線デバイス。
【請求項２４】
前記少なくとも１つの測定を実施することが、ある数Ｋ個の狭帯域参照信号（ＮＲＳ）アンテナポートに対して前記少なくとも１つの測定を実施することを含み、Ｋが整数である、請求項１６から２３のいずれか一項に記載の無線デバイス。
【請求項２５】
前記少なくとも１つの測定を実施することが、ある数Ｍ個の測定オケージョンに対する前記少なくとも１つの測定を推定しながら、前記Ｍ個の測定オケージョンにわたる前記数Ｋ個のＮＲＳアンテナポートに対するＮＲＳ測定の等しい分布を得ることを試みることを含み、ＭがＫよりも大きいかまたはそれに等しい、請求項２４に記載の無線デバイス。
【請求項２６】
前記ＮＳＳＳ送信ダイバーシティ方式に関係する前記情報が、マスタ情報ブロックまたはシステム情報ブロック中で受信される、請求項１６から２５のいずれか一項に記載の無線デバイス。
【請求項２７】
前記ＮＳＳＳ送信ダイバーシティ方式に関係する前記情報が、ページングメッセージ情報ブロックの一部として、または直接指示の一部として受信される、請求項１６から２６のいずれか一項に記載の無線デバイス。
【請求項２８】
前記ＮＳＳＳ送信ダイバーシティ方式に関係する前記情報が、専用無線リソース設定（ＲＲＣ）情報エレメント（ＩＥ）またはレイヤ１制御メッセージ中で受信される、請求項１６から２７のいずれか一項に記載の無線デバイス。
【請求項２９】
前記少なくとも１つの測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、請求項１６から２８のいずれか一項に記載の無線デバイス。
【請求項３０】
ネットワークノード（１１５）による方法（１０００）であって、
狭帯域２次同期信号（ＮＳＳＳ）信号を送信するためのＮＳＳＳ送信ダイバーシティ方式を決定することと、
無線デバイスによる、ＮＳＳＳオケージョンにわたる少なくとも１つの測定の実施のために、前記無線デバイスに前記ＮＳＳＳ送信ダイバーシティ方式に関係する情報を送信することであって、前記情報が、異なるＮＳＳＳ送信ダイバーシティ設定を使用するＮＳＳＳオケージョンの数を指示する、情報を送信することと
を含む、方法（１０００）。
【請求項３１】
前記異なるＮＳＳＳ送信ダイバーシティ設定が複数の異なるプリコーダを備える、請求項３０に記載の方法。
【請求項３２】
各ＮＳＳＳオケージョンがサブフレームを備える、請求項３０または３１に記載の方法。
【請求項３３】
前記ＮＳＳＳ送信ダイバーシティ方式を決定することが、前記ＮＳＳＳを前記無線デバイスに送信するためのＮＳＳＳアンテナポートの数Ｌを決定することを含む、請求項３０から３２のいずれか一項に記載の方法。
【請求項３４】
ＮＳＳＳ送信配信方式が、ＮＳＳＳアンテナポートの前記数Ｌと、前記数Ｌ個のアンテナポートの各々から物理アンテナポートへのマッピングを指示する何らかのプリコーダ行列とを備える、請求項３０から３３のいずれか一項に記載の方法。
【請求項３５】
前記無線デバイスに狭帯域参照信号（ＮＲＳ）アンテナポートの別個のセットを送信することをさらに含む、請求項３０から３４のいずれか一項に記載の方法。
【請求項３６】
ＮＲＳアンテナポートの前記別個のセットが仕様に基づく、請求項３５に記載の方法。
【請求項３７】
前記ＮＳＳＳ送信ダイバーシティ方式に関係する前記情報を送信することが、前記情報をマスタ情報ブロックまたはシステム情報ブロック中でブロードキャストすることを含む、請求項３０から３６のいずれか一項に記載の方法。
【請求項３８】
前記ＮＳＳＳ送信ダイバーシティ方式に関係する前記情報を送信することが、前記情報をページングメッセージ情報ブロックの一部として、または直接指示の一部として送信することを含む、請求項３０から３６のいずれか一項に記載の方法。
【請求項３９】
前記ＮＳＳＳ送信ダイバーシティ方式に関係する前記情報を送信することが、前記情報を専用無線リソース設定（ＲＲＣ）情報エレメント（ＩＥ）またはレイヤ１制御メッセージ中で送信することを含む、請求項３０から３６のいずれか一項に記載の方法。
【請求項４０】
前記少なくとも１つの測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、請求項３０から３９のいずれか一項に記載の方法。
【請求項４１】
コンピュータ可読プログラムコードを記憶する非一時的コンピュータ可読媒体を備えるコンピュータプログラム製品であって、前記コンピュータ可読プログラムコードが、請求項３０から４０に記載の方法のうちのいずれか１つを実施するためのプログラムコードを含む、コンピュータプログラム製品。
【請求項４２】
ネットワークノード（１１５）であって、
命令を記憶するメモリ（７３０）と、
前記ネットワークノードに、
狭帯域２次同期信号（ＮＳＳＳ）信号を送信するためのＮＳＳＳ送信ダイバーシティ方式を決定することと、
無線デバイスによる、ＮＳＳＳオケージョンにわたる少なくとも１つの測定の実施のために、前記無線デバイスに前記ＮＳＳＳ送信ダイバーシティ方式に関係する情報を送信することであって、前記情報が、異なるＮＳＳＳ送信ダイバーシティ設定を使用するＮＳＳＳオケージョンの数を指示する、情報を送信することと
を行わせるために前記命令を実行するように動作可能な処理回路要素（７２０）と
を備える、ネットワークノード（１１５）。
【請求項４３】
前記異なるＮＳＳＳ送信ダイバーシティ設定が複数の異なるプリコーダを備える、請求項４２に記載のネットワークノード。
【請求項４４】
各ＮＳＳＳオケージョンがサブフレームを備える、請求項４２または４３に記載のネットワークノード。
【請求項４５】
前記ＮＳＳＳ送信ダイバーシティ方式を決定することが、前記ＮＳＳＳを前記無線デバイスに送信するためのＮＳＳＳアンテナポートの数Ｌを決定することを含む、請求項４２から４４のいずれか一項に記載のネットワークノード。
【請求項４６】
ＮＳＳＳ送信配信方式が、ＮＳＳＳアンテナポートの前記数Ｌと、ある数Ｋ個のアンテナポートの各々から物理アンテナポートへのマッピングを指示する何らかのプリコーダ行列とを備える、請求項４５に記載のネットワークノード。
【請求項４７】
前記処理回路要素が、前記ネットワークノードに、狭帯域参照信号（ＮＲＳ）アンテナポートの別個のセットを前記無線デバイスに送信させるために前記命令を実行するように動作可能である、請求項４２から４６のいずれか一項に記載のネットワークノード。
【請求項４８】
ＮＲＳアンテナポートの前記別個のセットが仕様に基づく、請求項４７に記載のネットワークノード。
【請求項４９】
前記ＮＳＳＳ送信ダイバーシティ方式に関係する前記情報を送信することが、前記情報をマスタ情報ブロックまたはシステム情報ブロック中でブロードキャストすることを含む、請求項４２から４８のいずれか一項に記載のネットワークノード。
【請求項５０】
前記ＮＳＳＳ送信ダイバーシティ方式に関係する前記情報を送信することが、前記情報をページングメッセージ情報ブロックの一部として、または直接指示の一部として送信することを含む、請求項４２から４８のいずれか一項に記載のネットワークノード。
【請求項５１】
前記ＮＳＳＳ送信ダイバーシティ方式に関係する前記情報を送信することが、前記情報を専用無線リソース設定（ＲＲＣ）情報エレメント（ＩＥ）またはレイヤ１制御メッセージ中で送信することを含む、請求項４２から５０のいずれか一項に記載のネットワークノード。
【請求項５２】
前記少なくとも１つの測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、請求項４２から５１のいずれか一項に記載のネットワークノード。
【発明の詳細な説明】
【背景技術】
【０００１】
リリース１３において、３ＧＰＰは、狭帯域モノのインターネット（ＮＢ−ＩｏＴ：Ｎａｒｒｏｗｂａｎｄ  Ｉｎｔｅｒｎｅｔ−ｏｆ−Ｔｈｉｎｇｓ）を開発した。この新しい無線アクセス技術は、低いデバイス複雑さおよび最適化された電力消費と組み合わせて、信頼できる屋内カバレッジおよび高い容量などの品質を要求するサービスおよびアプリケーションへのコネクティビティを提供する。
【０００２】
ＮＢ−ＩｏＴは、狭帯域参照信号（ＮＲＳ：Ｎａｒｒｏｗｂａｎｄ  Ｒｅｆｅｒｅｎｃｅ  Ｓｉｇｎａｌ）と狭帯域２次同期信号（ＮＳＳＳ：Ｎａｒｒｏｗｂａｎｄ  Ｓｅｃｏｎｄａｒｙ  Ｓｙｎｃｈｒｏｎｉｚａｔｉｏｎ  Ｓｉｇｎａｌ）とを含む参照信号のセットをサポートする。
【０００３】
ＮＲＳは、各設定されたＮＢ−ＩｏＴサブフレーム中で送信されるダウンリンク参照信号である。ＮＲＳは、ユーザ機器（ＵＥ）無線リソースおよびリンク品質関係測定をサポートする。図１は、サブフレーム上のＮＲＳリソースエレメント（ＲＥ）のマッピングを示す。図示のように、ＮＲＳは、１つまたは２つのアンテナポートにわたって送信され得る。
【０００４】
ＮＳＳＳは、２０ｍｓの周期を用いて送信されるダウンリンク参照信号である。ＮＳＳＳは、時間および周波数における同期、ならびにセルの識別をサポートする。ＮＳＳＳのリソースエレメントは、図２に示されているように、最初の３つのＯＦＤＭシンボルを除いてフルサブフレーム上にマッピングされる。
【０００５】
ＮＢ−ＩｏＴでは、物理信号およびチャネルの送信のための参照ポイントはアンテナポートである。これは、３ＧＰＰによって発明された抽象的な概念であり、３ＧＰＰ仕様は、あるアンテナポートにおいて規定される信号が物理アンテナポートにどのようにマッピングされるかを開示せず、これは、放射アンテナエレメントへの入力を規定する。この概念は、以下で、使用される送信ダイバーシティ方式と呼ばれる。アンテナポートと物理アンテナポートとの間の数学的関係は、プリコーディング行列によって規定されることが知られている。
【０００６】
図３は、ＮＲＳを一例として使用するこの概念を示す。ＮＲＳは、２０００および２００１の番号を付けられた１つまたは２つのアンテナポートから送信される。
【０００７】
受信された狭帯域物理ダウンリンク制御チャネル（ＮＰＤＣＣＨ）送信、狭帯域物理ダウンリンク共有チャネル（ＮＰＤＳＣＨ）送信、または狭帯域物理ブロードキャストチャネル（ＮＰＢＣＨ）送信を等化するための無線伝搬チャネルを推定するために、ＮＲＳがＵＥによって使用され得ることを保証するために、ＮＰＤＣＣＨ、ＮＰＤＳＣＨおよびＮＰＢＣＨは、ＮＲＳと同じアンテナポートを使用するように規定される。これはまた、同じ送信ダイバーシティ方式がＮＲＳ、ＮＰＤＣＣＨ、ＮＰＤＳＣＨおよびＮＰＢＣＨのために適用されることになることを暗示する。これらのチャネルは、次いで、同じ程度の送信ダイバーシティを共有する。
【０００８】
ＮＲＳとＮＳＳＳとの間の同じ関連付けは存在しない。見方を変えれば、３ＧＰＰ仕様は、「ＵＥは、狭帯域２次同期信号が、ダウンリンク参照信号のうちのいずれかと同じアンテナポート上で送信されると仮定しないものとする。ＵＥは、所与のサブフレーム中の狭帯域２次同期信号の送信が、任意の他のサブフレーム中の狭帯域２次同期信号と同じ１つまたは複数のアンテナポートを使用すると仮定しないものとする。」ことを指定する。
【０００９】
ＮＳＳＳ仕様の目的は、連続して受信されたＮＳＳＳ送信のコヒーレント合成が仮定され得ないことをＵＥに指示することである。代わりに、ＵＥは、受信されたＮＳＳＳ送信の非コヒーレント合成を実施すると考えられる。仕様はまた、基地局（ＢＳ）側が、たとえば、プリコーディング行列などの送信ダイバーシティ方式をケースバイケースで最適化することを可能にする。
【００１０】
アイドルモードおよび接続モードにおける無線リソース管理をサポートするために、ＮＢ−ＩｏＴ  ＵＥは、ＴＳ３６．２１４  Ｅ−ＵＴＲＡ物理レイヤ測定として規定された狭帯域参照信号受信電力測定をサポートすることを義務づけられる。
狭帯域参照信号受信電力（ＮＲＳＲＰ：Ｎａｒｒｏｗｂａｎｄ  Ｒｅｆｅｒｅｎｃｅ  ｓｉｇｎａｌ  ｒｅｃｅｉｖｅｄ  ｐｏｗｅｒ）は、考慮される測定周波数帯域幅内で狭帯域固有参照信号を搬送するリソースエレメントの電力寄与にわたる線形平均（［Ｗ］単位）として規定される。
ＮＲＳベースのＮＲＳＲＰ決定のために、ＴＳ３６．２１１［３］による第１のアンテナポート（Ｒ２０００）のための狭帯域参照信号が使用されるものとする。ＵＥが、第２のアンテナポート（Ｒ２００１）が利用可能であることを確実に検出することができる場合、ＵＥは、ＮＲＳＲＰを決定するために第１のアンテナポートに加えて第２のアンテナポートを使用し得る。
ＮＲＳＲＰのための参照ポイントは、ＵＥのアンテナコネクタであるものとする。
【００１１】
リリース１５では、ＵＥが、ＮＲＳの代替または補足としてＮＳＳＳに対してＮＲＳＲＰ測定を実施することができる場合、ＮＲＳＲＰ測定の品質が改善され得ることが識別された。この機会の基本的な理由は、ＮＲＳと比較してＮＳＳＳのエネルギー密度がより高いことである。
【００１２】
現在、いくつかの課題が存在する。たとえば、上記で説明されたように、ＮＲＳのために使用される送信ダイバーシティ方式とＮＳＳＳのために使用される送信ダイバーシティ方式との間に関連付けがない。これは、ＮＳＳＳにわたって測定されたＮＲＳＲＰＮＳＳＳと、ＮＲＳにわたって測定されたＮＲＳＲＰＮＲＳとの間に不整合があり得ることを暗示する。
【００１３】
たとえば、２つのＮＲＳアンテナポートが、図４において左側に示される固定プリコーディング行列を使用して２つの物理アンテナポートにマッピングされるが、ＮＳＳＳが、図４において右側に示されるように時間的に交代するプリコーディング行列を用いて送信される場合を仮定する。
【００１４】
第１の問題は、３ＧＰＰ仕様によって義務づけられるようにアンテナポート２０００上のＮＲＳＲＰＮＲＳを測定するＵＥが、時間インスタンスＮ＋１、Ｎ＋３などのみにおいてＮＲＳおよびＮＳＳＳをサンプリングする場合、そのＵＥが、測定されたＮＲＳＲＰＮＲＳとＮＲＳＲＰＮＳＳＳとの差を経験し得ることである。
【００１５】
第２の問題は、ＮＳＳＳが、交代する送信ダイバーシティ方式を使用して送信されるが、ＮＲＳが、固定送信ダイバーシティ方式を用いて送信されるので、アンテナポート２０００上のＮＲＳＲＰＮＲＳを連続的に測定するＵＥも、測定されたＮＲＳＲＰＮＲＳとＮＲＳＲＰＮＳＳＳとの差を経験し得ることである。
【００１６】
この問題点はまた、交代するプリコーディング行列を用いるＮＳＳＳ送信が時不変単一タップチャネル状態とともに仮定されるシミュレーションによって検証された。この例では、ＵＥが時間Ｔ＝Ｎ、Ｎ＋２などにおけるＮＳＳＳ送信の１つおきのインスタンスにのみサンプリングするとさらに仮定される。
【００１７】
このセットアップの場合、ＵＥは、送信信号の２つの絶えず位相シフトされたレプリカの線形結合を受信することになる。それらの信号に課されるランダム位相シフトαおよびβは、ＢＳとＵＥとの間の多入力単出力（ＭＩＳＯ）チャネルによって導入される。線形結合は、弱め合うかまたは強め合うことがある。前者の場合、最悪の状況では、２つの信号経路は、完全に互いを消去し得、後者の場合、２つの信号経路は、２倍のエネルギーが受信されることを生じ得る。図５は、このセットアップを例示する。
【００１８】
信号の線形結合の電力は、以下のように表され得る。
2021505009.tif 000003
図６中の
2021505009.tif 000004
の累積分布関数（ＣＤＦ）、ここで、αおよびβが各々［０，２π］内でランダム化される、を見ると、５パーセンタイルが受信機における送信信号の有意な消滅を表すことは、明らかである。これは、ＵＥ測定設定と基地局による使用される送信方式との間の、問題になる依存性を証明する。
【発明の概要】
【００１９】
本開示のいくつかの態様およびそれらの実施形態は、狭帯域モノのインターネット（ＮＢ−ＩｏＴ）無線デバイスが、狭帯域参照信号（ＮＲＳ）に加えて狭帯域２次同期信号（ＮＳＳＳ）対して無線リソース管理（ＲＲＭ）測定を実施することを可能にすることによって、これらまたは他の課題のソリューションを提供し得る。いくつかの実施形態によれば、ネットワークは、無線デバイスに、上記で説明された問題を回避するためにその測定セットアップをどのように設定すべきかを通知し得る。
【００２０】
いくつかの実施形態によれば、無線デバイスによる方法が、ＮＳＳＳ送信ダイバーシティ方式に関係する情報を受信することを含む。情報は、異なるＮＳＳＳ送信ダイバーシティ設定（ｔｒａｎｓｍｉｔ  ｄｉｖｅｒｓｉｔｙ  ｃｏｎｆｉｇｕｒａｔｉｏｎ）を使用するＮＳＳＳオケージョンの数を指示する。受信された指示は、ＮＳＳＳオケージョンにわたって実施されるべき少なくとも１つの測定を実施する際に使用するためのものである。いくつかの態様では、指示は、各ＮＳＳＳオケージョンが一意の送信ダイバーシティ方式を使用する、ＮＳＳＳオケージョンのセットを指示する。いくつかの態様では、無線デバイスは、ＮＳＳＳオケージョンにわたって少なくとも１つの測定を実施するために、受信された指示を使用する。
【００２１】
いくつかの実施形態によれば、無線デバイスが、命令を記憶するように動作可能なメモリと、無線デバイスに、ＮＳＳＳ送信ダイバーシティ方式に関係する情報を受信させるために命令を実行するように動作可能な処理回路要素とを含む。情報は、異なるＮＳＳＳ送信ダイバーシティ設定、すなわち、アンテナポートから物理アンテナポートにＮＳＳＳをマッピングするための異なるプリコーダを使用する連続するＮＳＳＳオケージョンの数を指示する。この数は、ＮＳＳＳ送信ダイバーシティまたはＮＳＳＳプリコーダ（プリコーディング行列）周期と呼ばれることがある。ＮＳＳＳ送信ダイバーシティ方式の指示は、ＮＳＳＳオケージョンにわたって実施されるべき少なくとも１つの測定を与える。いくつかの態様では、処理回路要素は、無線デバイスに、フルＮＳＳＳ送信ダイバーシティまたはプリコーダ期間を規定するＮＳＳＳオケージョンのセットにわたって少なくとも１つの測定を実施させるために命令を実行するように動作可能である。
【００２２】
いくつかの実施形態によれば、ネットワークノードによる方法が、ＮＳＳＳ信号を送信するためのＮＳＳＳ送信ダイバーシティ方式のセットを決定することと、無線デバイスによる、ＮＳＳＳ送信ダイバーシティ期間を規定する、ＮＳＳＳオケージョン送信にわたる少なくとも１つの測定の実施のために、無線デバイスにＮＳＳＳ送信ダイバーシティ方式に関係する情報を送信することとを含む。情報は、異なるＮＳＳＳ送信ダイバーシティ設定を使用するＮＳＳＳオケージョンの数、すなわち、ＮＳＳＳ送信ダイバーシティ期間を指示する。
【００２３】
いくつかの実施形態によれば、ネットワークノードが、命令を記憶するように動作可能なメモリと、ネットワークノードに、ＮＳＳＳ信号を送信するためのＮＳＳＳ送信ダイバーシティ方式を決定することと、無線デバイスによる、ＮＳＳＳオケージョンにわたる少なくとも１つの測定の実施のために、無線デバイスにＮＳＳＳ送信ダイバーシティ方式に関係する情報を送信することとを行わせるために命令を実行するように動作可能な処理回路要素とを含む。情報は、異なるＮＳＳＳ送信ダイバーシティ設定を使用するＮＳＳＳオケージョンの数を指示する。
【００２４】
いくつかの実施形態は、以下の技術的利点のうちの１つまたは複数を提供し得る。一例として、いくつかの実施形態の利点は、ユーザ機器（ＵＥ）などの無線デバイスが、狭帯域参照信号受信電力（ＮＲＳＲＰ）と、狭帯域参照信号受信品質（ＮＲＳＲＱ：Ｎａｒｒｏｗｂａｎｄ  Ｒｅｆｅｒｅｎｃｅ  Ｓｉｇｎａｌ  Ｒｅｃｅｉｖｅ  Ｑｕａｌｉｔｙ）と、新しい受信信号強度インジケータ（ＮＲＳＳＩ）とを予測可能および正確な様式で推定するために、ＮＲＳに補足してＮＳＳＳを使用することを可能にされることであり得る。
【００２５】
いくつかの実施形態は、これらの利点のいずれをも含まないか、いくつかを含むか、またはすべてを含み得る。当業者によって理解されるように、いくつかの実施形態は他の利点を含み得る。
【００２６】
開示される実施形態ならびにそれらの特徴および利点のより完全な理解のために、次に、添付の図面とともに、以下の説明が参照される。
【図面の簡単な説明】
【００２７】
【図１】サブフレーム上の狭帯域参照信号（ＮＲＳ）リソースエレメント（ＲＥ）のマッピングを示す図である。
【図２】サブフレーム上の狭帯域２次同期信号（ＮＳＳＳ）ＲＥのマッピングを示す図である。
【図３】一例としてＮＲＳを使用する送信ダイバーシティ方式概念を示す図である。
【図４】固定プリコーディング行列を使用する２つの物理アンテナポートへの２つのＮＲＳアンテナポートのマッピングを示す図である。
【図５】時不変単一タップチャネル状態とともに、交代するプリコーディング行列を用いる例示的なＮＳＳＳ送信を示す図である。
【図６】ＣＤＦを示す図である。
【図７】いくつかの実施形態による、ユーザ機器（ＵＥ）が送信信号のあらゆるインスタンスをサンプリングする、例示的なＮＳＳＳ送信ダイバーシティ方式を示す図である。
【図８】いくつかの実施形態による、例示的なネットワークを示す図である。
【図９】いくつかの実施形態による、例示的な無線デバイスを示す図である。
【図１０】いくつかの実施形態による、無線デバイスによる例示的な方法を示す図である。
【図１１】いくつかの実施形態による、例示的な仮想コンピューティングデバイスを示す図である。
【図１２】いくつかの実施形態による、無線デバイスによる別の例示的な方法を示す図である。
【図１３】いくつかの実施形態による、別の例示的な仮想コンピューティングデバイスを示す図である。
【図１４】いくつかの実施形態による、例示的なネットワークノードを示す図である。
【図１５】いくつかの実施形態による、ネットワークノードによる例示的な方法を示す図である。
【図１６】いくつかの実施形態による、別の例示的な仮想コンピューティングデバイスを示す図である。
【図１７】いくつかの実施形態による、ネットワークノードによる例示的な方法を示す図である。
【図１８】いくつかの実施形態による、別の例示的な仮想コンピューティングデバイスを示す図である。
【図１９】いくつかの実施形態による、例示的な無線ネットワークコントローラまたはコアネットワークノードを示す図である。
【図２０】いくつかの実施形態による、中間ネットワークを介してホストコンピュータに接続された電気通信ネットワークを示す図である。
【図２１】いくつかの実施形態による、部分的無線接続上で基地局を介してユーザ機器と通信するホストコンピュータの一般化されたブロック図である。
【図２２】一実施形態による、通信システムにおいて実装される方法を示す図である。
【図２３】一実施形態による、通信システムにおいて実装される別の方法を示す図である。
【図２４】一実施形態による、両方のＴＸポート上で同じ符号をもつ送信ダイバーシティについてのＡＷＧＮ伝搬状態におけるＮＳＳＳ受信電力推定を示す図である。
【図２５】一実施形態による、第２のＴＸポートのランダム化された符号をもつ送信ダイバーシティについてのＡＷＧＮ伝搬状態におけるＮＳＳＳ受信電力推定を示す図である。
【図２６】一実施形態による、ＡＷＧＮについて、参照のために、Ｒ４−１７１１４５３「Ｏｎ  ｍｅａｓｕｒｅｍｅｎｔｓ  ａｃｃｕｒａｃｙ  ｗｈｅｎ  ｕｓｉｎｇ  ＮＳＳＳ  ａｎｄ  ＮＲＳ」、Ｅｒｉｃｓｓｏｎからの単一Ｔｘポートシミュレーション結果を示す図である。
【図２７】一実施形態による、両方のＴＸポート上で同じ符号をもつ送信ダイバーシティについてのＥＴＵ  １Ｈｚ伝搬状態におけるＮＳＳＳ受信電力推定を示す図である。
【図２８】一実施形態による、第２のＴＸポートのランダム化された符号をもつ送信ダイバーシティについてのＥＴＵ  １Ｈｚ伝搬状態におけるＮＳＳＳ受信電力推定を示す図である。
【図２９】一実施形態による、ＥＴＵ  １Ｈｚについて、参照のために、Ｒ４−１７１１４５３「Ｏｎ  ｍｅａｓｕｒｅｍｅｎｔｓ  ａｃｃｕｒａｃｙ  ｗｈｅｎ  ｕｓｉｎｇ  ＮＳＳＳ  ａｎｄ  ＮＲＳ」、Ｅｒｉｃｓｓｏｎからの単一Ｔｘポートシミュレーション結果を示す図である。
【図３０】いくつかの実施形態による、ＣＤＦを示す図である。
【発明を実施するための形態】
【００２８】
特定の実施形態が図面の図１〜図３０において説明され、同様の数字が様々な図面の同様の部分および対応する部分のために使用されている。説明される技法は、狭帯域参照信号受信電力（ＮＲＳＲＰ）に焦点が当てられるが、本技法は、概して、参照信号受信電力（ＲＳＲＰ）、受信信号強度インジケータ（ＲＳＳＩ）および参照信号受信品質（ＲＳＲＱ）など、ＵＥ無線リソース管理（ＲＲＭ）測定メトリックに適用される。
【００２９】
いくつかの実施形態は、明示的測定規定のための機能性を含み得る。いくつかの実施形態によれば、たとえば、ネットワークは、上記で説明された問題を回避するために無線デバイスの測定セットアップをどのように設定すべきかを無線デバイスに通知し得る。
【００３０】
上記で説明され、図５に示されている例では、ネットワークは、時間インスタンスＴ＝ＮおよびＮ＋１においてペアワイズＮＲＳＲＰＮＳＳＳ測定を行うように、無線デバイスに通知することになる。無線デバイスは、次いで、平均して正しいＮＲＳＲＰレベルを推定するために、送信信号の弱め合う組合せをサンプリングすることと送信信号の強め合う組合せをサンプリングすることとの間で交代させることになる。
【００３１】
図７は、いくつかの実施形態による、ユーザ機器（ＵＥ）が送信信号のあらゆるインスタンスをサンプリングする、例示的なＮＳＳＳ送信ダイバーシティ方式５０を示す。詳細には、いくつかの実施形態によれば、ネットワークノードは、無線デバイスが整合様式で狭帯域２次同期信号（ＮＳＳＳ）およびＮＲＳにわたってＮＲＳＲＰを測定することになるようにＮＳＳＳ送信ダイバーシティ方式を設定する。
・第１の特定の実施形態では、ネットワークは、無線デバイスが一度にＮ個の後続のＮＳＳＳサブフレームに対してＮＲＳＲＰ測定を実施することができることを無線デバイスに通知し、ここで、Ｎは整数である。無線デバイスは、無線デバイスの、ＮＲＳＲＰの推定を、Ｍ＞Ｎ個のＮＳＳＳ測定オケージョン（ｍｅａｓｕｒｅｍｅｎｔ  ｏｃｃａｓｉｏｎ）に基づかせ得るが、各測定オケージョンについて、Ｎ個の後続のＮＳＳＳサブフレームがサンプリングされる。
・第２の特定の実施形態では、ネットワークは、無線デバイスがＫ個のＮＲＳアンテナポートに対してＮＲＳＲＰ測定を実施することができることを無線デバイスに通知し、ここで、Ｋは整数である。無線デバイスは、無線デバイスの、ＮＲＳＲＰの推定を、Ｍ＞Ｋ個の測定オケージョンに基づかせ得るが、Ｍ個の測定オケージョンにわたるＫ個のアンテナポートに対するＮＲＳ測定の等しい分布を得ることを試みる。
・第３の特定の実施形態では、無線デバイスは、ネットワークからの指示に基づいて、または仕様に従って、ＮＲＳアンテナポートの別個のセット（ｄｉｓｔｉｎｃｔ  ｓｅｔ）に対して、たとえば、アンテナポート２０００および／または２００１に対してＮＲＳＲＰ測定を実施することができる。
【００３２】
いくつかの他の実施形態によれば、無線デバイスは、無線デバイスが整合様式でＮＳＳＳおよびＮＲＳにわたってＮＲＳＲＰを測定することを可能にするために、ネットワークノードが無線デバイスのＮＳＳＳ送信ダイバーシティ方式をどのように設定したかを理解するための情報を提供される。
・特定の実施形態では、たとえば、ネットワークは、設定された送信ダイバーシティ方式に関して無線デバイスに通知する。そのような情報は、限定はしないが、ＮＳＳＳアンテナポートの数と、ＮＳＳＳアンテナポートから物理アンテナポートへのマッピングを規定するプリコーダ行列とを含む。
【００３３】
実施形態の第３のセットは、シグナリングの実装形態を説明する。
・第１の特定の実施形態では、シグナリング情報は、マスタ情報ブロックまたはシステム情報ブロック中でブロードキャストされる。
・シグナリングがシステム情報ブロック中で提供される場合、シグナリングは、ＳＩＢ３−ＮＢ（サービングセル、共通周波数内ネイバー、共通周波数間ネイバー）、ＳＩＢ４−ＮＢ（セル固有周波数内ネイバー）、およびＳＩＢ５−ＮＢ（セル固有周波数間ネイバー）のうちの１つまたは複数中に含まれ得る。
・第２の特定の実施形態では、シグナリング情報は、ページングメッセージ情報ブロックの一部として、または直接指示の一部として送られる。
・第３の特定の実施形態では、シグナリング情報は、専用無線リソース設定（ＲＲＣ）情報エレメント（ＩＥ）またはレイヤ１制御メッセージ中で伝達される。
・特定の実施形態では、ＲＲＣ  ＩＥはＲＲＣ解放メッセージ中に含まれ得る。
・特定の実施形態では、ＲＲＣ  ＩＥは、ＲａｄｉｏＲｅｓｏｕｒｃｅＣｏｎｆｉｇＤｅｄｉｃａｔｅｄ−ＮＢメッセージ中のＰｈｙｓｉｃａｌＣｏｎｆｉｇＤｅｄｉｃａｔｅｄ−ＮＢ−ｒ１３  ＩＥの一部であり得る。
・特定の実施形態では、ＲＲＣ  ＩＥは、ＭｅａｓＣｏｎｆｉｇメッセージの一部であり得る。
・特定の実施形態では、レイヤ１制御メッセージは、未使用ＬＣＩＤ空間のうちの１つを使用してＤＬ  ＳＣＨ中に含まれ得る。
・特定の実施形態では、レイヤ１制御メッセージは、使用済みＬＣＩＤ空間のうちの１つを再解釈することによってＤＬ  ＳＣＨ中に含まれ得る。
・第４の特定の実施形態では、ネットワークは、異なるＣＲＣマスキングを通してＮＲＳポートの数を暗黙的にシグナリングし、たとえば、ＣＲＣに適用されるマスクｎは、ｎ個のＮＲＳポートがあることを指示する。無線デバイスは、異なるマスクのすべてを試み、どのマスクが正しいＣＲＣを生じるかを確かめ得る。マスクｎが正しいＣＲＣを生じる場合、無線デバイスは、Ｎ個の後続のＮＳＳＳサブフレームに対して連続ＮＲＳＲＰ測定を実施し得る。
・第５の特定の実施形態では、セッティングは、仕様において明示的に指定され得る。すなわち、たとえば、ＮＳＳＳアンテナポートの数、ＮＳＳＳアンテナポートから物理アンテナポートへのマッピングを規定するプリコーダ行列、および他の情報は、仕様において明示的に指定され得る。ネットワークは、ＮＳＳＳがセル中の測定のために使用され得るかどうかのみを指示し得る。ネットワークがそのように指示する場合、無線デバイスは、仕様における指定された挙動に従う。
【００３４】
ＮＳＳＳは、ＮＳＳＳがセル固有であり、したがって、セル固有ＲＲＭ測定を取得するのに好適であるので、本明細書で説明される技法を実施するための一例として使用される。しかしながら、概して、本技法は、任意のセル固有同期信号またはセル固有参照信号に適用され得る。たとえば、再同期信号（ＲＳＳ）など、追加のセル固有同期信号が利用可能である場合、追加のセル固有同期信号は、セル固有ＲＲＭ測定を取得するために使用され得る。
【００３５】
図８は、いくつかの実施形態による、明示的測定規定のためのネットワーク１００の一実施形態を示すブロック図である。ネットワーク１００は、無線デバイス１１０またはＵＥ１１０と互換的に呼ばれることがある１つまたは複数の無線デバイス１１０Ａ〜Ｃと、ネットワークノード１１５またはｅノードＢ１１５と互換的に呼ばれることがあるネットワークノード１１５Ａ〜Ｃとを含む。無線デバイス１１０は、無線インターフェース上でネットワークノード１１５と通信し得る。たとえば、無線デバイス１１０Ａは、無線信号をネットワークノード１１５のうちの１つまたは複数に送信し、および／または無線信号をネットワークノード１１５のうちの１つまたは複数から受信し得る。無線信号は、ボイストラフィック、データトラフィック、制御信号、および／または任意の他の好適な情報を含んでいることがある。いくつかの実施形態では、ネットワークノード１１５に関連する無線信号カバレッジのエリアはセルと呼ばれることがある。いくつかの実施形態では、無線デバイス１１０はＤ２Ｄ能力を有し得る。したがって、無線デバイス１１０は、信号を直接別の無線デバイス１１０から受信し、および／または信号を直接別の無線デバイス１１０に送信することが可能であり得る。たとえば、無線デバイス１１０Ａは、信号を無線デバイス１１０Ｂから受信し、および／または信号を無線デバイス１１０Ｂに送信することが可能であり得る。
【００３６】
いくつかの実施形態では、ネットワークノード１１５は、無線ネットワークコントローラ（図８中に図示せず）とインターフェースし得る。無線ネットワークコントローラは、ネットワークノード１１５を制御し得、いくつかの無線リソース管理機能、モビリティ管理機能、および／または他の好適な機能を提供し得る。いくつかの実施形態では、無線ネットワークコントローラの機能は、ネットワークノード１１５中に含まれ得る。無線ネットワークコントローラは、コアネットワークノードとインターフェースし得る。いくつかの実施形態では、無線ネットワークコントローラは、相互接続ネットワークを介してコアネットワークノードとインターフェースし得る。相互接続ネットワークは、オーディオ、ビデオ、信号、データ、メッセージ、または前述の任意の組合せを送信することが可能な相互接続システムを指し得る。相互接続ネットワークは、公衆交換電話網（ＰＳＴＮ）、パブリックまたはプライベートデータネットワーク、ローカルエリアネットワーク（ＬＡＮ）、メトロポリタンエリアネットワーク（ＭＡＮ）、ワイドエリアネットワーク（ＷＡＮ）、インターネット、有線または無線ネットワークなどのローカル、地域、またはグローバル通信またはコンピュータネットワーク、企業イントラネット、あるいはこれらの組合せを含む任意の他の好適な通信リンクの全部または一部分を含み得る。
【００３７】
いくつかの実施形態では、コアネットワークノードは、無線デバイス１１０のための通信セッションの確立および様々な他の機能性を管理し得る。無線デバイス１１０は、非アクセス層レイヤを使用していくつかの信号をコアネットワークノードと交換し得る。非アクセス層シグナリングでは、無線デバイス１１０とコアネットワークノードとの間の信号は、無線アクセスネットワークを通して透過的に受け渡され得る。いくつかの実施形態では、ネットワークノード１１５は、ノード間インターフェースを介して１つまたは複数のネットワークノードとインターフェースし得る。たとえば、ネットワークノード１１５Ａおよび１１５Ｂは、Ｘ２インターフェースを介してインターフェースし得る。
【００３８】
上記で説明されたように、ネットワーク１００の例示的な実施形態は、１つまたは複数の無線デバイス１１０と、無線デバイス１１０と（直接または間接的に）通信することが可能な１つまたは複数の異なるタイプのネットワークノードとを含み得る。無線デバイス１１０は、セルラーまたは移動体通信システムにおけるノードおよび／または別の無線デバイスと通信する任意のタイプの無線デバイスを指し得る。無線デバイス１１０の例は、モバイルフォン、スマートフォン、ＰＤＡ（携帯情報端末）、ポータブルコンピュータ（たとえば、ラップトップ、タブレット）、センサー、モデム、マシン型通信（ＭＴＣ）デバイス／マシンツーマシン（Ｍ２Ｍ）デバイス、ラップトップ埋込み機器（ＬＥＥ）、ラップトップ搭載機器（ＬＭＥ）、ＵＳＢドングル、Ｄ２Ｄ対応デバイス、または無線通信を提供することができる別のデバイスを含む。無線デバイス１１０は、いくつかの実施形態では、ＵＥ、局（ＳＴＡ）、デバイス、または端末と呼ばれることもある。また、いくつかの実施形態では、一般用語「無線ネットワークノード」（または単に「ネットワークノード」）が使用される。無線ネットワークノードは、ノードＢ、基地局（ＢＳ）、マルチスタンダード無線（ＭＳＲ）ＢＳなどのＭＳＲ無線ノード、ｅノードＢ、ネットワークコントローラ、無線ネットワークコントローラ（ＲＮＣ）、基地局コントローラ（ＢＳＣ）、リレードナーノード制御リレー、基地トランシーバ局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（たとえば、ＭＳＣ、ＭＭＥなど）、Ｏ＆Ｍ、ＯＳＳ、ＳＯＮ、測位ノード（たとえば、Ｅ−ＳＭＬＣ）、ＭＤＴ、または任意の好適なネットワークノードを備え得る、任意の種類のネットワークノードであり得る。無線デバイス１１０、ネットワークノード１１５、および（無線ネットワークコントローラまたはコアネットワークノードなどの）他のネットワークノードの例示的な実施形態が、それぞれ図９、図１２、および図１５に関してより詳細に説明される。
【００３９】
図８はネットワーク１００の特定の構成を示しているが、本開示は、本明細書で説明される様々な実施形態が、任意の好適な設定を有する様々なネットワークに適用され得ることを企図する。たとえば、ネットワーク１００は、任意の好適な数の無線デバイス１１０およびネットワークノード１１５、ならびに無線デバイス間の通信、または無線デバイスと（固定電話などの）別の通信デバイスとの間の通信をサポートするのに適した追加の要素を含み得る。さらに、いくつかの実施形態がｌｏｎｇ  ｔｅｒｍ  ｅｖｏｌｕｔｉｏｎ（ＬＴＥ）ネットワークにおいて実装されるものとして説明され得るが、実施形態は、任意の好適な通信規格をサポートし、任意の好適な構成要素を使用する任意の適切なタイプの電気通信システムにおいて実装され得、無線デバイスが信号（たとえば、データ）を受信および／または送信する無線アクセス技術（ＲＡＴ）またはマルチＲＡＴシステムに適用可能である。たとえば、本明細書で説明される様々な実施形態は、ＬＴＥ、ＬＴＥアドバンスト、ＬＴＥ−Ｕ  ＵＭＴＳ、ＨＳＰＡ、ＧＳＭ、ｃｄｍａ２０００、ＷｉＭａｘ、ＷｉＦｉ、別の好適な無線アクセス技術、あるいは１つまたは複数の無線アクセス技術の任意の好適な組合せに適用可能であり得る。いくつかの実施形態はダウンリンクにおける無線送信のコンテキストにおいて説明され得るが、本開示は、様々な実施形態がアップリンクにおいて等しく適用可能であることを企図し、その逆も同様である。
【００４０】
本明細書で説明される明示的測定規定のための技法は、ライセンス免除チャネルにおけるＬＡＡ  ＬＴＥ動作とスタンドアロンＬＴＥ動作の両方に適用可能である。説明される技法は、概して、ネットワークノード１１５と無線デバイス１１０の両方からの送信に適用可能である。
【００４１】
図９は、いくつかの実施形態による、明示的測定規定のための例示的な無線デバイス１１０のブロック概略図である。無線デバイス１１０は、セルラーまたは移動体通信システムにおけるノードおよび／または別の無線デバイスと通信する任意のタイプの無線デバイスを指し得る。無線デバイス１１０の例は、モバイルフォン、スマートフォン、ＰＤＡ（携帯情報端末）、ポータブルコンピュータ（たとえば、ラップトップ、タブレット）、センサー、モデム、ＭＴＣデバイス／マシンツーマシン（Ｍ２Ｍ）デバイス、ラップトップ埋込み機器（ＬＥＥ）、ラップトップ搭載機器（ＬＭＥ）、ＵＳＢドングル、Ｄ２Ｄ対応デバイス、または無線通信を提供することができる別のデバイスを含む。無線デバイス１１０は、いくつかの実施形態では、ＵＥ、局（ＳＴＡ）、デバイス、または端末と呼ばれることもある。無線デバイス１１０は、トランシーバ２１０と、処理回路要素２２０と、メモリ２３０とを含む。いくつかの実施形態では、トランシーバ２１０は、（たとえば、アンテナ２４０を介して）無線信号をネットワークノード１１５に送信すること、および無線信号をネットワークノード１１５から受信することを容易にし、（たとえば、１つまたは複数のプロセッサを含み得る）処理回路要素２２０は、無線デバイス１１０によって提供されているものとして上記で説明された機能性の一部または全部を提供するための命令を実行し、メモリ２３０は、処理回路要素２２０によって実行される命令を記憶する。
【００４２】
処理回路要素２２０は、命令を実行し、本明細書で説明されるＵＥ１１０（すなわち、無線デバイス１１０）の機能など、無線デバイス１１０の説明される機能の一部または全部を実施するようにデータを操作するための、１つまたは複数のモジュールにおいて実装されたハードウェアとソフトウェアとの任意の好適な組合せを含み得る。いくつかの実施形態によれば、たとえば、処理回路要素２２０は、ＮＳＳＳ送信ダイバーシティ方式に関係する情報を受信し、ＮＳＳＳ送信ダイバーシティ方式に基づいて、整合様式でＮＳＳＳおよびＮＲＳにわたって少なくとも１つの測定を実施し得る。いくつかの実施形態では、処理回路要素２２０は、たとえば、１つまたは複数のコンピュータ、１つまたは複数の中央処理ユニット（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／または他の論理を含み得る。
【００４３】
メモリ２３０は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ２３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、プロセッサ２２０によって使用され得る情報、データ、および／または命令を記憶する、任意の他の揮発性または不揮発性、非一時的コンピュータ可読および／またはコンピュータ実行可能メモリデバイスを含む。
【００４４】
無線デバイス１１０の他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を提供することを担当し得る、図９に示されている構成要素以外の追加の構成要素を随意に含み得る。ほんの一例として、無線デバイス１１０は、処理回路要素２２０の一部であり得る、入力デバイスおよび回路、出力デバイス、ならびに１つまたは複数の同期ユニットまたは回路を含み得る。入力デバイスは、無線デバイス１１０へのデータのエントリのための機構を含む。たとえば、入力デバイスは、マイクロフォン、入力エレメント、ディスプレイなど、入力機構を含み得る。出力デバイスは、オーディオ、ビデオ、および／またはハードコピーフォーマットでデータを出力するための機構を含み得る。たとえば、出力デバイスは、スピーカー、ディスプレイなどを含み得る。
【００４５】
図１０は、いくつかの実施形態による、明示的測定規定のための例示的な方法３００を示す。本方法は、ステップ３０２において開始し、無線デバイス１１０が、ＮＳＳＳ送信ダイバーシティ方式に関係する情報を受信する。特定の実施形態では、ＮＳＳＳ送信配信方式は、ＮＳＳＳアンテナポートの数と、ＮＳＳＳアンテナポートから物理アンテナポートへのマッピングを規定するプリコーダ行列を規定するプリコーダとを含み得る。
【００４６】
ステップ３０４において、無線デバイス１１０は、ＮＳＳＳ送信ダイバーシティ方式に基づいて、整合様式でＮＳＳＳおよびＮＲＳにわたって少なくとも１つのＲＲＭ測定を実施する。いくつかの実施形態によれば、少なくとも１つのＲＲＭ測定は、少なくとも１つの狭帯域信号受信電力（ＮＲＳＲＰ）測定、少なくとも１つの参照信号受信電力（ＲＳＲＰ）測定、少なくとも１つの受信信号強度インジケータ（ＲＳＳＩ）測定、および／または少なくとも１つの参照信号受信品質（ＲＳＲＱ）測定を含み得る。
【００４７】
特定の実施形態では、少なくとも１つのＲＲＭ測定は、一度にＮ個の後続のＮＳＳＳサブフレームに対して実施され得、ここで、Ｎは整数である。たとえば、少なくとも１つのＲＲＭ測定は、Ｍ＞Ｎ個のＮＳＳＳ測定オケージョンに対する少なくとも１つのＲＲＭ測定を推定することを含み得るが、各測定オケージョンについて、Ｎ個の後続のＮＳＳＳサブフレームがサンプリングされる。
【００４８】
特定の実施形態では、少なくとも１つのＲＲＭ測定は、Ｋ個のＮＲＳアンテナポートに対して実施され得、ここで、Ｋは整数である。たとえば、少なくとも１つのＲＲＭ測定を実施することは、Ｍ＞Ｋ個の測定オケージョンに対する少なくとも１つのＲＲＭ測定を推定しながら、Ｍ個の測定オケージョンにわたるＫ個のアンテナポートに対するＮＲＳ測定の等しい分布を得ることを試みることを含み得る。
【００４９】
いくつかの実施形態によれば、少なくとも１つのＲＲＭ測定は、ＮＲＳアンテナポートの別個のセットに対して実施され得る。特定の実施形態では、ＮＲＳアンテナポートの別個のセットは、ネットワークノードから受信され得る。他の実施形態では、ＮＲＳアンテナポートの別個のセットは、仕様に基づいて決定され得る。
【００５０】
特定の実施形態によれば、ＮＳＳＳ送信ダイバーシティ方式は、マスタ情報ブロックまたはシステム情報ブロック中で受信され得る。別の実施形態では、ＮＳＳＳ送信ダイバーシティ方式は、ページングメッセージ情報ブロックの一部として、または直接指示の一部として受信され得る。さらに別の実施形態では、ＮＳＳＳ送信ダイバーシティ方式は、専用無線リソース設定（ＲＲＣ）情報エレメント（ＩＥ）またはレイヤ１制御メッセージ中で受信され得る。たとえば、ＲＲＣ  ＩＥは、ＲＲＣ解放メッセージ中に含まれ得るか、ＲａｄｉｏＲｅｓｏｕｒｃｅＣｏｎｆｉｇＤｅｄｉｃａｔｅｄ−ＮＢメッセージ中のＰｈｙｓｉｃａｌＣｏｎｆｉｇＤｅｄｉｃａｔｅｄ−ＮＢ−ｒ１３  ＩＥの一部であり得るか、またはＭｅａｓＣｏｎｆｉｇメッセージの一部であり得る。他の実施形態では、レイヤ１制御メッセージは、未使用ＬＣＩＤ空間のうちの１つを使用して、または使用済みＬＣＩＤ空間のうちの１つを再解釈することによってＤＬ  ＳＣＨ中に含まれ得る。
【００５１】
いくつかの実施形態によれば、ＮＳＳＳ送信ダイバーシティ方式は、異なるＣＲＣマスキングを通してＮＲＳポートの数を識別し得、ここで、ＣＲＣに適用されるマスクｎは、ｎ個のＮＲＳポートがあることを指示する。無線デバイス１１０は、次いで、複数のＣＲＣマスクの各々を試み、複数のＣＲＣマスクのうちの特定の１つが正しいＣＲＣを生じると決定し、Ｎ個の後続のＮＳＳＳサブフレームに対して連続ＮＲＳＲＰ測定を実施し得る。
【００５２】
いくつかの他の実施形態によれば、ＮＳＳＳ送信ダイバーシティ方式は、ＮＳＳＳがセル中の測定のために使用され得るかどうかを識別し得る。無線デバイス１１０は、次いで、仕様に基づいて、ＮＳＳＳアンテナポートの数、ＮＳＳＳアンテナポートから物理アンテナポートへのマッピングを規定するプリコーダ行列、および他の情報を決定し得る。
【００５３】
本開示の態様は、ＮＳＳＳ送信ダイバーシティ方式に関係する情報を受信するように設定された無線デバイスを提供する。情報は、異なるＮＳＳＳ送信ダイバーシティ設定を使用するＮＳＳＳオケージョンの数を指示する。オケージョンの数の情報は、ＲＲＣによって無線デバイスに送信されたパラメータの値によって提供され得る。受信された指示は、ＮＳＳＳオケージョンにわたって実施されるべき少なくとも１つの測定を実施する際に使用するためのものである。いくつかの態様では、指示は、各ＮＳＳＳオケージョンが一意の送信ダイバーシティ方式、すなわちプリコーダを使用する、ＮＳＳＳオケージョンのセットを指示する。いくつかの態様では、受信された情報は、異なるＮＳＳＳ送信ダイバーシティ設定を使用する連続するＮＳＳＳオケージョンの数を指示する。したがって、無線デバイスは、いくつのＮＳＳＳオケージョンが、異なる（すなわち一意の）ＮＳＳＳ送信ダイバーシティ設定またはプリコーダを使用するかをネットワークによって通知される。いくつかの態様では、無線デバイスは、ＮＳＳＳオケージョンにわたって少なくとも１つの測定を実施するために、受信された指示を使用する。いくつかの態様では、受信された情報をもつ無線デバイスは、ある数のＮＳＳＳオケージョンにわたって測定を実施することができ、ＮＳＳＳオケージョンの数は、異なるプリコーダ／送信ダイバーシティ設定を使用するＮＳＳＳオケージョンの数の受信された指示に基づく（たとえば、受信された指示に等しい）。いくつかの態様では、受信された指示は、ＮＳＳＳ送信について異なるプリコーダを使用する連続するＮＳＳＳオケージョンの数を指示する。いくつかの態様では、受信された情報は、ＮＳＳＳベースＲＲＭ測定のための設定を提供する。したがって、無線デバイスによる測定は改善される。本開示の態様はまた、任意の例で説明されるように、各ＮＳＳＳオケージョンが一意の送信ダイバーシティ方式、すなわちプリコーダを使用する、ＮＳＳＳオケージョンの数を指示する指示をネットワークノードによって送信することを与える。送信することは、ＲＲＣを使用してパラメータの値を送信することによるものであり得る。
【００５４】
いくつかの実施形態は、より多いまたはより少ないアクションを備え得、アクションは、任意の好適な順序で実施され得る。
【００５５】
いくつかの実施形態では、明示的測定規定のための方法は、仮想コンピューティングデバイスによって実施され得る。図１１は、いくつかの実施形態による、明示的測定規定のための例示的な仮想コンピューティングデバイス４００を示す。いくつかの実施形態では、仮想コンピューティングデバイス４００は、図１０に示され、記載されている方法に関して上記で説明されたステップと同様のステップを実施するためのモジュールを含み得る。たとえば、仮想コンピューティングデバイス４００は、受信モジュール４１０と、実施モジュール４２０と、明示的測定規定のための任意の他の好適なモジュールとを含み得る。いくつかの実施形態では、モジュールのうちの１つまたは複数は、図９の処理回路要素２２０を使用して実装され得る。いくつかの実施形態では、様々なモジュールのうちの２つまたはそれ以上の機能が、組み合わせられて単一のモジュールになり得る。
【００５６】
受信モジュール４１０は、仮想コンピューティングデバイス４００の受信機能のうちのいくつかを実施し得る。たとえば、特定の実施形態では、受信モジュール４１０は、ＮＳＳＳ送信ダイバーシティ方式に関係する情報を受信し得る。たとえば、情報は、ＮＳＳＳアンテナポートの数と、ＮＳＳＳアンテナポートから物理アンテナポートへのマッピングを規定するプリコーダ行列を規定するプリコーダとを含み得る。
【００５７】
実施モジュール４２０は、仮想コンピューティングデバイス４００の実施機能のうちのいくつかを実施し得る。たとえば、特定の実施形態では、実施モジュール４２０は、ＮＳＳＳ送信ダイバーシティ方式に基づいて、整合様式でＮＳＳＳおよび狭帯域参照信号（ＮＲＳ）にわたって少なくとも１つの無線リソース管理（ＲＲＭ）測定を実施し得る。
【００５８】
仮想コンピューティングデバイス４００の他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を提供することを担当し得る、図１１に示されている構成要素以外の追加の構成要素を含み得る。様々な異なるタイプの無線デバイスは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【００５９】
図１２は、いくつかの実施形態による、無線デバイス１１０による別の例示的な方法５００を示す。本方法は、ステップ５０２において開始し、無線デバイス１１０が、ＮＳＳＳ送信ダイバーシティ方式に関係する情報を受信する。情報は、異なるＮＳＳＳ送信ダイバーシティ設定を使用するＮＳＳＳオケージョンの数を指示する。特定の実施形態では、各ＮＳＳＳオケージョンはサブフレームを含み得る。
【００６０】
特定の実施形態では、ＮＳＳＳ送信ダイバーシティ方式に関係する情報は、マスタ情報ブロックまたはシステム情報ブロック中で受信される。
【００６１】
別の実施形態では、ＮＳＳＳ送信ダイバーシティ方式に関係する情報は、ページングメッセージ情報ブロックの一部として、または直接指示の一部として受信される。
【００６２】
さらに別の実施形態では、ＮＳＳＳ送信ダイバーシティ方式に関係する情報は、専用ＲＲＣ情報エレメント（ＩＥ）またはレイヤ１制御メッセージ中で受信される。
【００６３】
ステップ５０４において、無線デバイス１１０は、ＮＳＳＳオケージョンにわたって少なくとも１つの測定を実施するためにＮＳＳＳ送信ダイバーシティ方式を使用する。特定の実施形態では、少なくとも１つの測定は、ＮＲＳＲＰ測定、ＲＳＲＰ測定、ＲＳＳＩ測定、およびＲＳＲＱ測定のうちの１つまたは複数であり得る。
【００６４】
特定の実施形態では、たとえば、少なくとも１つの測定を実施するとき、無線デバイス１１０は、一度にある数Ｎ個の連続するＮＳＳＳオケージョンに対して少なくとも１つの測定を実施し得、Ｎは整数である。たとえば、少なくとも１つの測定は、各測定オケージョン中にある数Ｎ個の連続するＮＳＳＳサブフレームをサンプリングすることによって、数Ｍ個の測定オケージョン中に推定され得る。特定の実施形態では、ＭはＮよりも大きくなり得る。別の実施形態では、Ｎは、１よりも大きいかまたはそれに等しい任意の整数であり得る。
【００６５】
特定の実施形態では、少なくとも１つの測定を実施するとき、無線デバイス１１０は、数Ｎ個の連続するＮＳＳＳオケージョンにわたる平均を決定することを決定し得る。
【００６６】
特定の実施形態では、少なくとも１つの測定を実施するとき、無線デバイス１１０は、Ｎよりも小さいある数の連続するサブフレームにわたる少なくとも１つの測定の平均が、精度のしきい値レベルを満たすと決定することと、少なくとも１つの連続するサブフレームにわたって少なくとも１つの測定を実施することを中止することとを含み得る。
【００６７】
特定の実施形態では、ＮＳＳＳ送信配信方式は、ＮＳＳＳアンテナポートの数Ｌと、各ＮＳＳＳアンテナポートから物理アンテナポートへのマッピングを指示する何らかのプリコーダ行列とを含み得る。たとえば、無線デバイス１１０は、特定の実施形態では、Ｍ個のオケージョンの各々においてアンテナポートのサブセットを選定し得る。無線デバイス１１０は、Ｍ個のオケージョンにわたってアンテナポートのサブセットについて測定を平均化し得る。
【００６８】
特定の実施形態では、少なくとも１つの測定を実施するとき、無線デバイス１１０は、ある数Ｋ個のＮＲＳアンテナポートに対して少なくとも１つの測定を実施し、ここで、Ｋは整数である。
【００６９】
特定の実施形態では、少なくとも１つの測定を実施するとき、無線デバイス１１０は、ある数Ｍ個の測定オケージョンに対する少なくとも１つの測定を推定しながら、Ｍ個の測定オケージョンにわたる数Ｋ個のＮＲＳアンテナポートに対するＮＲＳ測定の等しい分布を得ることを試みる。特定の実施形態では、ＭはＫよりも大きくなり得る。別の実施形態では、ＭはＫよりも大きくなり得る。
【００７０】
特定の実施形態では、無線デバイス１１０は、アンテナポートのサブセットに対する測定をサンプリングし、しきい値に達したときに測定の早期終了を実施し得る。
【００７１】
いくつかの実施形態は、より多いまたはより少ないアクションを備え得、アクションは、任意の好適な順序で実施され得る。
【００７２】
いくつかの実施形態では、本方法は、仮想コンピューティングデバイスによって実施され得る。図１３は、いくつかの実施形態による、別の例示的な仮想コンピューティングデバイス６００を示す。いくつかの実施形態では、仮想コンピューティングデバイス６００は、図１２に示され、記載されている方法に関して上記で説明されたステップと同様のステップを実施するためのモジュールを含み得る。たとえば、仮想コンピューティングデバイス６００は、受信モジュール６１０と、使用モジュール６２０と、任意の他の好適なモジュールとを含み得る。いくつかの実施形態では、モジュールのうちの１つまたは複数は、図９の処理回路要素２２０を使用して実装され得る。いくつかの実施形態では、様々なモジュールのうちの２つまたはそれ以上の機能が、組み合わせられて単一のモジュールになり得る。
【００７３】
受信モジュール６１０は、仮想コンピューティングデバイス６００の受信機能のうちのいくつかを実施し得る。たとえば、特定の実施形態では、受信モジュール６１０は、ＮＳＳＳ送信ダイバーシティ方式に関係する情報を受信し得る。情報は、異なるＮＳＳＳ送信ダイバーシティ設定を使用するＮＳＳＳオケージョンの数を指示する。
【００７４】
使用モジュール６２０は、仮想コンピューティングデバイス６００の使用機能のうちのいくつかを実施し得る。たとえば、特定の実施形態では、使用モジュール６２０は、ＮＳＳＳオケージョンにわたって少なくとも１つの測定を実施するためにＮＳＳＳ送信ダイバーシティ方式を使用し得る。
【００７５】
仮想コンピューティングデバイス６００の他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を提供することを担当し得る、図１３に示されている構成要素以外の追加の構成要素を含み得る。様々な異なるタイプの無線デバイスは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【００７６】
図１４は、いくつかの実施形態による、明示的測定規定のための例示的なネットワークノード１１５を示す。ネットワークノード１１５は、ＵＥおよび／または別のネットワークノードと通信する、任意のタイプの無線ネットワークノードまたは任意のネットワークノードであり得る。ネットワークノード１１５の例は、ｇＮＢ、ｅノードＢ、ノードＢ、基地局、無線アクセスポイント（たとえば、Ｗｉ−Ｆｉアクセスポイント）、低電力ノード、基地トランシーバ局（ＢＴＳ）、リレー、ドナーノード制御リレー、送信ポイント、送信ノード、リモートＲＦユニット（ＲＲＵ）、リモート無線ヘッド（ＲＲＨ）、マルチスタンダード無線（ＭＳＲ）ＢＳなどのＭＳＲ無線ノード、分散アンテナシステム（ＤＡＳ）におけるノード、Ｏ＆Ｍ、ＯＳＳ、ＳＯＮ、測位ノード（たとえば、Ｅ−ＳＭＬＣ）、ＭＤＴ、または任意の他の好適なネットワークノードを含む。ネットワークノード１１５は、ホモジニアス配置（ｈｏｍｏｇｅｎｏｕｓ  ｄｅｐｌｏｙｍｅｎｔ）、ヘテロジニアス配置（ｈｅｔｅｒｏｇｅｎｅｏｕｓ  ｄｅｐｌｏｙｍｅｎｔ）、または混合配置としてネットワーク１００全体にわたって展開され得る。ホモジニアス配置は、概して、同じ（または同様の）タイプのネットワークノード１１５ならびに／または同様のカバレッジおよびセルサイズおよびサイト間距離からなる配置を表し得る。ヘテロジニアス配置は、概して、異なるセルサイズ、送信電力、容量、およびサイト間距離を有する様々なタイプのネットワークノード１１５を使用する配置を表し得る。たとえば、ヘテロジニアス配置は、マクロセルレイアウト全体にわたって配置された複数の低電力ノードを含み得る。混合配置はホモジニアス部分とヘテロジニアス部分との混合を含み得る。
【００７７】
ネットワークノード１１５は、トランシーバ７１０と、（たとえば、１つまたは複数のプロセッサを含み得る）処理回路要素７２０と、メモリ７３０と、ネットワークインターフェース７４０とのうちの１つまたは複数を含み得る。いくつかの実施形態では、トランシーバ７１０は、（たとえば、アンテナ７５０を介して）無線信号を無線デバイス１１０に送信すること、および無線信号を無線デバイス１１０から受信することを容易にし、処理回路要素７２０は、ネットワークノード１１５によって提供されているものとして上記で説明された機能性の一部または全部を提供するための命令を実行し、メモリ７３０は、処理回路要素７２０によって実行される命令を記憶し、ネットワークインターフェース７４０は、ゲートウェイ、スイッチ、ルータ、インターネット、公衆交換電話網（ＰＳＴＮ）、コアネットワークノード、または無線ネットワークコントローラなど、バックエンドネットワーク構成要素に信号を通信する。
【００７８】
処理回路要素７２０は、本明細書で説明される機能など、ネットワークノード１１５の説明される機能の一部または全部を実施するために、命令を実行し、データを操作するための、１つまたは複数のモジュールにおいて実装されたハードウェアとソフトウェアとの任意の好適な組合せを含み得る。特定の実施形態では、たとえば、処理回路要素７２０は、無線デバイスに、整合様式で狭帯域２次同期信号（ＮＳＳＳ）および狭帯域参照信号（ＮＲＳ）にわたって少なくとも１つの無線リソース管理（ＲＲＭ）測定を実施するためのＮＳＳＳ送信ダイバーシティ方式を送信し得る。いくつかの実施形態では、処理回路要素７２０は、たとえば、１つまたは複数のコンピュータ、１つまたは複数の中央処理ユニット（ＣＰＵ）、１つまたは複数のマイクロプロセッサ、１つまたは複数のアプリケーション、および／または他の論理を含み得る。
【００７９】
メモリ７３０は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ７３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【００８０】
いくつかの実施形態では、ネットワークインターフェース７４０は、処理回路要素７２０に通信可能に結合され、ネットワークノード１１５のための入力を受信するか、ネットワークノード１１５からの出力を送るか、入力または出力またはその両方の好適な処理を実施するか、他のデバイスに通信するか、あるいは前述の任意の組合せを行うように動作可能な任意の好適なデバイスを指し得る。ネットワークインターフェース７４０は、ネットワークを通して通信するために、適切なハードウェア（たとえば、ポート、モデム、ネットワークインターフェースカードなど）と、プロトコルコンバージョン能力およびデータ処理能力を含むソフトウェアとを含み得る。
【００８１】
ネットワークノード１１５の他の実施形態は、上記で説明された機能性および／または（上記で説明されたソリューションをサポートするのに必要な任意の機能性を含む）任意の追加の機能性のうちのいずれかを含む、無線ネットワークノードの機能性のいくつかの態様を提供することを担当し得る、図１４に示されている構成要素以外の追加の構成要素を含み得る。様々な異なるタイプのネットワークノードは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【００８２】
図１５は、いくつかの実施形態による、明示的測定規定のためのネットワークノード１１５による例示的な方法８００を示す。本方法は、ステップ８０２において開始し、ネットワークノード１１５が、無線デバイスに、整合様式でＮＳＳＳおよびＮＲＳにわたって少なくとも１つのＲＲＭ測定を実施するためのＮＳＳＳ送信ダイバーシティ方式を送信する。様々な特定の実施形態によれば、少なくとも１つのＲＲＭ測定は、少なくとも１つのＮＲＳＲＰ測定、少なくとも１つのＲＳＲＰ測定、少なくとも１つのＲＳＳＩ測定、および／または少なくとも１つのＲＳＲＱ測定を含み得る。
【００８３】
特定の実施形態では、ＮＳＳＳ送信配信方式は、ＮＳＳＳアンテナポートの数と、ＮＳＳＳアンテナポートから物理アンテナポートへのマッピングを規定するプリコーダ行列を規定するプリコーダとを含み得る。別の実施形態では、ＮＳＳＳ送信ダイバーシティ方式は、一度にＮ個の後続のＮＳＳＳサブフレームに対して実施されるべき少なくとも１つのＲＲＭ測定を実施するように無線デバイスを設定し、ここで、Ｎは整数である。たとえば、ＮＳＳＳ送信ダイバーシティ方式は、Ｍ＞Ｎ個のＮＳＳＳ測定オケージョンに対する少なくとも１つのＲＲＭ測定を推定するように無線デバイスを設定し得るが、各測定オケージョンについて、Ｎ個の後続のＮＳＳＳサブフレームがサンプリングされる。
【００８４】
また別の実施形態では、ＮＳＳＳ送信ダイバーシティ方式は、Ｋ個のＮＲＳアンテナポートに対して少なくとも１つのＲＲＭ測定を実施するように無線デバイスを設定し得、ここで、Ｋは整数である。たとえば、無線デバイスは、Ｍ＞Ｋ個の測定オケージョンに対する少なくとも１つのＲＲＭ測定を推定しながら、Ｍ個の測定オケージョンにわたるＫ個のアンテナポートに対するＮＲＳ測定の等しい分布を得ることを試みるように設定され得る。
【００８５】
いくつかの他の実施形態によれば、ＮＳＳＳ送信ダイバーシティ方式は、ＮＲＳアンテナポートの別個のセットに対して少なくとも１つのＲＲＭ測定を実施するように無線デバイスを設定し得る。特定の実施形態では、ネットワークノード１１５は、無線デバイスにＮＲＳアンテナポートの別個のセットを送信する。別の実施形態では、ＮＲＳアンテナポートの別個のセットは、仕様に基づいて決定され得る。
【００８６】
いくつかの実施形態によれば、ＮＳＳＳ送信ダイバーシティ方式は、マスタ情報ブロックまたはシステム情報ブロック中でブロードキャストされ得る。他の実施形態では、ＮＳＳＳ送信ダイバーシティ方式は、ページングメッセージ情報ブロックの一部として、または直接指示の一部として送信され得る。さらに他の実施形態では、ＮＳＳＳ送信ダイバーシティ方式は、専用ＲＲＣ  ＩＥまたはレイヤ１制御メッセージ中で送信され得る。たとえば、ＲＲＣ  ＩＥは、ＲＲＣ解放メッセージ中に含まれるか、ＲａｄｉｏＲｅｓｏｕｒｃｅＣｏｎｆｉｇＤｅｄｉｃａｔｅｄ−ＮＢメッセージ中のＰｈｙｓｉｃａｌＣｏｎｆｉｇＤｅｄｉｃａｔｅｄ−ＮＢ−ｒ１３  ＩＥの一部として含まれるか、またはＭｅａｓＣｏｎｆｉｇメッセージの一部として含まれ得る。他の例示的な実施形態では、レイヤ１制御メッセージは、未使用ＬＣＩＤ空間のうちの１つを使用してＤＬ  ＳＣＨ中に含まれるか、または使用済みＬＣＩＤ空間のうちの１つを再解釈することによってＤＬ  ＳＣＨ中に含まれ得る。
【００８７】
いくつかの実施形態によれば、ＮＳＳＳ送信ダイバーシティ方式は、異なるＣＲＣマスキングを通してＮＲＳポートの数を識別し得、ＣＲＣに適用されるマスクｎは、ｎ個のＮＲＳポートがあることを指示する。さらに他の実施形態では、ＮＳＳＳ送信ダイバーシティ方式は、ＮＳＳＳがセル中の測定のために使用され得るかどうかを識別し得、無線デバイスは、仕様に基づいて、ＮＳＳＳアンテナポートの数、ＮＳＳＳアンテナポートから物理アンテナポートへのマッピングを規定するプリコーダ行列、および他の情報を決定し得る。
【００８８】
いくつかの実施形態は、より多いまたはより少ないアクションを備え得、アクションは、任意の好適な順序で実施され得る。
【００８９】
いくつかの実施形態では、明示的測定規定のための方法は、仮想コンピューティングデバイスによって実施され得る。図１６は、いくつかの実施形態による、明示的測定規定のための別の例示的な仮想コンピューティングデバイス９００を示す。いくつかの実施形態では、仮想コンピューティングデバイス９００は、図１５に示され、記載されている方法に関して上記で説明されたステップと同様のステップを実施するためのモジュールを含み得る。たとえば、仮想コンピューティングデバイス９００は、送信モジュール９１０と、明示的測定規定のための任意の他の好適なモジュールとを含み得る。いくつかの実施形態では、モジュールのうちの１つまたは複数は、図１４の処理回路要素７２０を使用して実装され得る。いくつかの実施形態では、様々なモジュールのうちの２つまたはそれ以上の機能が、組み合わせられて単一のモジュールになり得る。
【００９０】
送信モジュール９１０は、仮想コンピューティングデバイス９００の送信機能のうちのいくつかを実施し得る。たとえば、特定の実施形態では、送信モジュール９１０は、無線デバイスに、整合様式でＮＳＳＳおよびＮＲＳにわたって少なくとも１つのＲＲＭ測定を実施するためのＮＳＳＳ送信ダイバーシティ方式を送信し得る。
【００９１】
仮想コンピューティングデバイス１１００の他の実施形態は、上記で説明された機能性および／または（上記で説明されたソリューションをサポートするのに必要な任意の機能性を含む）任意の追加の機能性のうちのいずれかを含む、ネットワークノードの機能性のいくつかの態様を提供することを担当し得る、図１６に示されている構成要素以外の追加の構成要素を含み得る。様々な異なるタイプの無線デバイスは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【００９２】
図１７は、いくつかの実施形態による、ネットワークノード１１５による別の例示的な方法１０００を示す。本方法は、ステップ１００２において開始し、ネットワークノード１１５が、ＮＳＳＳ信号を送信するためのＮＳＳＳ送信ダイバーシティ方式を決定する。
【００９３】
ステップ１００４において、ネットワークノード１１５は、無線デバイス１１０による、ＮＳＳＳオケージョンにわたる少なくとも１つの測定の実施のために、無線デバイス１１０にＮＳＳＳ送信ダイバーシティ方式に関係する情報を送信する。情報は、異なるＮＳＳＳ送信ダイバーシティ設定を使用するＮＳＳＳオケージョンの数を指示する。特定の実施形態では、各ＮＳＳＳオケージョンはサブフレームである。
【００９４】
特定の実施形態では、ＮＳＳＳ送信ダイバーシティ方式を決定するとき、ネットワークノード１１５は、ＮＳＳＳを無線デバイスに送信するためのＮＳＳＳアンテナポートの数Ｌを決定する。たとえば、特定の実施形態では、ＮＳＳＳ送信配信方式は、ＮＳＳＳ送信配信方式は、数Ｋ個のＮＳＳＳアンテナポートと、数Ｋ個のアンテナポートの各々から物理アンテナポートへのマッピングを指示する何らかのプリコーダ行列とを含み得る。
【００９５】
特定の実施形態では、本方法は、ネットワークノード１１５が、無線デバイス１１０にＮＲＳアンテナポートの別個のセットを送信することをさらに含み得る。特定の実施形態では、ＮＲＳアンテナポートの別個のセットは仕様に基づき得る。
【００９６】
特定の実施形態では、ＮＳＳＳ送信ダイバーシティ方式に関係する情報を送信するとき、ネットワークノード１１５は、情報をマスタ情報ブロックまたはシステム情報ブロック中でブロードキャストする。
【００９７】
特定の実施形態では、ＮＳＳＳ送信ダイバーシティ方式に関係する情報を送信するとき、ネットワークノード１１５は、情報をページングメッセージ情報ブロックの一部として、または直接指示の一部として送信する。
【００９８】
さらに別の特定の実施形態では、ＮＳＳＳ送信ダイバーシティ方式に関係する情報を送信するとき、ネットワークノード１１５は、情報を専用ＲＲＣ  ＩＥまたはレイヤ１制御メッセージ中で送信する。
【００９９】
特定の実施形態では、測定は、ＮＲＳＲＰ測定、ＲＳＲＰ測定、ＲＳＳＩ測定、およびＲＳＲＱ測定のうちの少なくとも１つであり得る。
【０１００】
いくつかの実施形態は、より多いまたはより少ないアクションを備え得、アクションは、任意の好適な順序で実施され得る。
【０１０１】
いくつかの実施形態では、明示的測定規定のための方法は、仮想コンピューティングデバイスによって実施され得る。図１８は、いくつかの実施形態による、別の例示的な仮想コンピューティングデバイス１１００を示す。いくつかの実施形態では、仮想コンピューティングデバイス１１００は、図１７に示され、記載されている方法に関して上記で説明されたステップと同様のステップを実施するためのモジュールを含み得る。たとえば、仮想コンピューティングデバイス１１００は、決定モジュール１１１０と、送信モジュール１１２０と、任意の他の好適なモジュールとを含み得る。いくつかの実施形態では、モジュールのうちの１つまたは複数は、図１４の処理回路要素７２０を使用して実装され得る。いくつかの実施形態では、様々なモジュールのうちの２つまたはそれ以上の機能が、組み合わせられて単一のモジュールになり得る。
【０１０２】
決定モジュール１１１０は、仮想コンピューティングデバイス１１００の決定機能のうちのいくつかを実施し得る。たとえば、特定の実施形態では、決定モジュール１１１０は、ＮＳＳＳ信号を送信するためのＮＳＳＳ送信ダイバーシティ方式を決定し得る。
【０１０３】
送信モジュール１１２０は、仮想コンピューティングデバイス１１００の送信機能のうちのいくつかを実施し得る。たとえば、特定の実施形態では、送信モジュール１１２０は、無線デバイス１１０による、ＮＳＳＳオケージョンにわたる少なくとも１つの測定の実施のために、無線デバイス１１０にＮＳＳＳ送信ダイバーシティ方式に関係する情報を送信し得る。情報は、異なるＮＳＳＳ送信ダイバーシティ設定を使用するＮＳＳＳオケージョンの数を指示する。
【０１０４】
仮想コンピューティングデバイス１１００の他の実施形態は、上記で説明された機能性および／または（上記で説明されたソリューションをサポートするのに必要な任意の機能性を含む）任意の追加の機能性のうちのいずれかを含む、ネットワークノードの機能性のいくつかの態様を提供することを担当し得る、図１８に示されている構成要素以外の追加の構成要素を含み得る。様々な異なるタイプの無線デバイスは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【０１０５】
図１９は、いくつかの実施形態による、例示的な無線ネットワークコントローラまたはコアネットワークノード１２００を示す。ネットワークノードの例は、モバイルスイッチングセンター（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などを含むことができる。無線ネットワークコントローラまたはコアネットワークノードは、（たとえば、１つまたは複数のプロセッサを含み得る）処理回路要素１２０２と、ネットワークインターフェース１２０４と、メモリ１２０６とを含む。いくつかの実施形態では、処理回路要素１２０２は、ネットワークノードによって提供されているものとして上記で説明された機能性の一部または全部を提供するための命令を実行し、メモリ１２０６は、処理回路要素１２０２によって実行される命令を記憶し、ネットワークインターフェース１２０４は、ゲートウェイ、スイッチ、ルータ、インターネット、公衆交換電話網（ＰＳＴＮ）、ネットワークノード１１５、無線ネットワークコントローラまたはコアネットワークノードなど、任意の好適なノードに信号を通信する。
【０１０６】
処理回路要素１２０２は、命令を実行し、無線ネットワークコントローラまたはコアネットワークノードの説明される機能の一部または全部を実施するようにデータを操作するための、１つまたは複数のモジュールにおいて実装されたハードウェアとソフトウェアとの任意の好適な組合せを含み得る。いくつかの実施形態では、処理回路要素１２０２は、たとえば、１つまたは複数のコンピュータ、１つまたは複数の中央処理ユニット（ＣＰＵ）、１つまたは複数のマイクロプロセッサ、１つまたは複数のアプリケーション、および／または他の論理を含み得る。
【０１０７】
メモリ１２０６は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ１２０６の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１０８】
いくつかの実施形態では、ネットワークインターフェース１２０４は、処理回路要素１２０２に通信可能に結合され、ネットワークノードのための入力を受信するか、ネットワークノードからの出力を送るか、入力または出力またはその両方の好適な処理を実施するか、他のデバイスに通信するか、あるいは前述の任意の組合せを行うように動作可能な任意の好適なデバイスを指し得る。ネットワークインターフェース１２０４は、ネットワークを通して通信するために、適切なハードウェア（たとえば、ポート、モデム、ネットワークインターフェースカードなど）と、プロトコルコンバージョン能力およびデータ処理能力を含むソフトウェアとを含み得る。
【０１０９】
ネットワークノードの他の実施形態は、上記で説明された機能性および／または（上記で説明されたソリューションをサポートするのに必要な任意の機能性を含む）任意の追加の機能性のうちのいずれかを含む、ネットワークノードの機能性のいくつかの態様を提供することを担当し得る、図１９に示されている構成要素以外の追加の構成要素を含み得る。
【０１１０】
図２０は、いくつかの実施形態による、中間ネットワークを介してホストコンピュータに接続された電気通信ネットワークを概略的に示す。一実施形態によれば、通信システムが、無線アクセスネットワークなどのアクセスネットワーク３２１１とコアネットワーク３２１４とを備える、３ＧＰＰタイプセルラーネットワークなどの電気通信ネットワーク３２１０を含む。アクセスネットワーク３２１１は、ＮＢ、ｅＮＢ、ｇＮＢまたは他のタイプの無線アクセスポイントなど、複数の基地局３２１２ａ、３２１２ｂ、３２１２ｃを備え、各々、対応するカバレッジエリア３２１３ａ、３２１３ｂ、３２１３ｃを規定する。各基地局３２１２ａ、３２１２ｂ、３２１２ｃは、有線接続または無線接続３２１５を介してコアネットワーク３２１４に接続可能である。カバレッジエリア３２１３ｃ中に位置する第１のユーザ機器（ＵＥ）３２９１は、対応する基地局３２１２ｃに無線で接続するか、または対応する基地局３２１２ｃによってページングされるように設定される。カバレッジエリア３２１３ａ中の第２のＵＥ３２９２は、対応する基地局３２１２ａに無線で接続可能である。この例では複数のＵＥ３２９１、３２９２が示されているが、開示される実施形態は、唯一のＵＥがカバレッジエリア中にある状況、または、唯一のＵＥが、対応する基地局３２１２に接続している状況に、等しく適用可能である。
【０１１１】
電気通信ネットワーク３２１０は、それ自体、ホストコンピュータ３２３０に接続され、ホストコンピュータ３２３０は、スタンドアロンサーバ、クラウド実装されたサーバ、分散サーバのハードウェアおよび／またはソフトウェアで、あるいはサーバファーム中の処理リソースとして具現され得る。ホストコンピュータ３２３０は、サービスプロバイダの所有または制御下にあり得るか、あるいはサービスプロバイダによってまたはサービスプロバイダの代わりに動作され得る。電気通信ネットワーク３２１０とホストコンピュータ３２３０との間の接続３２２１、３２２２が、コアネットワーク３２１４からホストコンピュータ３２３０まで直接延び得るか、または随意の中間ネットワーク３２２０を介して進み得る。中間ネットワーク３２２０は、公衆ネットワーク、プライベートネットワークまたはホストされたネットワークのうちの１つ、あるいはそれらのうちの２つ以上の組合せであり得、中間ネットワーク３２２０は、もしあれば、バックボーンネットワークまたはインターネットであり得、特に、中間ネットワーク３２２０は、２つまたはそれ以上のサブネットワーク（図示せず）を備え得る。
【０１１２】
図２０の通信システムは、全体として、接続されたＵＥ３２９１、３２９２のうちの１つとホストコンピュータ３２３０との間のコネクティビティを可能にする。コネクティビティは、オーバーザトップ（ＯＴＴ：ｏｖｅｒ−ｔｈｅ−ｔｏｐ）接続３２５０として説明され得る。ホストコンピュータ３２３０および接続されたＵＥ３２９１、３２９２は、アクセスネットワーク３２１１、コアネットワーク３２１４、任意の中間ネットワーク３２２０および考えられるさらなるインフラストラクチャ（図示せず）を媒介として使用して、ＯＴＴ接続３２５０を介して、データおよび／またはシグナリングを通信するように設定される。ＯＴＴ接続３２５０は、ＯＴＴ接続３２５０が通過する、参加する通信デバイスが、アップリンクおよびダウンリンク通信のルーティングを認識していないという点で、透過的であり得る。たとえば、基地局３２１２は、接続されたＵＥ３２９１にフォワーディング（たとえば、ハンドオーバ）されるべき、ホストコンピュータ３２３０から発生したデータを伴う着信ダウンリンク通信の過去のルーティングに関して、通知されないことがあり、または通知される必要がない。同様に、基地局３２１２は、ＵＥ３２９１から発生してホストコンピュータ３２３０に向かう発信アップリンク通信の将来ルーティングに気づいている必要がない。
【０１１３】
図２１は、いくつかの実施形態による、部分的無線接続上で基地局を介してユーザ機器と通信するホストコンピュータの一般化されたブロック図である。次に、一実施形態による、前の段落において説明されたＵＥ、基地局およびホストコンピュータの例示的な実装形態が、図２１を参照しながら説明される。通信システム３３００では、ホストコンピュータ３３１０は、通信システム３３００の異なる通信デバイスのインターフェースとの有線接続または無線接続をセットアップおよび維持するように設定された通信インターフェース３３１６を含む、ハードウェア３３１５を備える。ホストコンピュータ３３１０は、記憶能力および／または処理能力を有し得る、処理回路要素３３１８をさらに備える。特に、処理回路要素３３１８は、命令を実行するように適応された、１つまたは複数のプログラマブルプロセッサ、特定用途向け集積回路、フィールドプログラマブルゲートアレイまたはこれらの組合せ（図示せず）を備え得る。ホストコンピュータ３３１０はソフトウェア３３１１をさらに備え、ソフトウェア３３１１は、ホストコンピュータ３３１０に記憶されるかまたはホストコンピュータ３３１０によってアクセス可能であり、処理回路要素３３１８によって実行可能である。ソフトウェア３３１１はホストアプリケーション３３１２を含む。ホストアプリケーション３３１２は、ＵＥ３３３０およびホストコンピュータ３３１０において終端するＯＴＴ接続３３５０を介して接続するＵＥ３３３０など、リモートユーザにサービスを提供するように動作可能であり得る。リモートユーザにサービスを提供する際に、ホストアプリケーション３３１２は、ＯＴＴ接続３３５０を使用して送信されるユーザデータを提供し得る。
【０１１４】
通信システム３３００は、電気通信システム中に提供される基地局３３２０をさらに含み、基地局３３２０は、基地局３３２０がホストコンピュータ３３１０およびＵＥ３３３０と通信することを可能にするハードウェア３３２５を備える。ハードウェア３３２５は、通信システム３３００の異なる通信デバイスのインターフェースとの有線接続または無線接続をセットアップおよび維持するための通信インターフェース３３２６、ならびに基地局３３２０によってサーブされるカバレッジエリア（図２１に図示せず）中に位置するＵＥ３３３０との少なくとも無線接続３３７０をセットアップおよび維持するための無線インターフェース３３２７を含み得る。通信インターフェース３３２６は、ホストコンピュータ３３１０への接続３３６０を容易にするように設定され得る。接続３３６０は直接的であり得るか、あるいは、接続３３６０は、電気通信システムのコアネットワーク（図２１に図示せず）を、および／または電気通信システムの外部の１つまたは複数の中間ネットワークを通過し得る。図示の実施形態では、基地局３３２０のハードウェア３３２５は、命令を実行するように適応された、１つまたは複数のプログラマブルプロセッサ、特定用途向け集積回路、フィールドプログラマブルゲートアレイまたはこれらの組合せ（図示せず）を備え得る、処理回路要素３３２８をさらに含む。基地局３３２０は、内部的に記憶されるかまたは外部接続を介してアクセス可能なソフトウェア３３２１をさらに有する。
【０１１５】
通信システム３３００は、すでに言及されたＵＥ３３３０をさらに含む。ＵＥ３３３０のハードウェア３３３５は、ＵＥ３３３０が現在位置するカバレッジエリアをサーブする基地局との無線接続３３７０をセットアップおよび維持するように設定された無線インターフェース３３３７を含み得る。ＵＥ３３３０のハードウェア３３３５は、命令を実行するように適応された、１つまたは複数のプログラマブルプロセッサ、特定用途向け集積回路、フィールドプログラマブルゲートアレイまたはこれらの組合せ（図示せず）を備え得る、処理回路要素３３３８をさらに含む。ＵＥ３３３０はソフトウェア３３３１をさらに備え、ソフトウェア３３３１は、ＵＥ３３３０に記憶されるかまたはＵＥ３３３０によってアクセス可能であり、処理回路要素３３３８によって実行可能である。ソフトウェア３３３１はクライアントアプリケーション３３３２を含む。クライアントアプリケーション３３３２は、ホストコンピュータ３３１０のサポートを伴って、ＵＥ３３３０を介して人間のまたは人間でないユーザにサービスを提供するように動作可能であり得る。ホストコンピュータ３３１０では、実行しているホストアプリケーション３３１２は、ＵＥ３３３０およびホストコンピュータ３３１０において終端するＯＴＴ接続３３５０を介して、実行しているクライアントアプリケーション３３３２と通信し得る。ユーザにサービスを提供する際に、クライアントアプリケーション３３３２は、ホストアプリケーション３３１２から要求データを受信し、要求データに応答してユーザデータを提供し得る。ＯＴＴ接続３３５０は、要求データとユーザデータの両方を転送し得る。クライアントアプリケーション３３３２は、クライアントアプリケーション３３３２が提供するユーザデータを生成するためにユーザと対話し得る。
【０１１６】
図２１に示されているホストコンピュータ３３１０、基地局３３２０およびＵＥ３３３０は、それぞれ、図２０のホストコンピュータ３２３０、基地局３２１２ａ、３２１２ｂ、３２１２ｃのうちの１つ、およびＵＥ３２９１、３２９２のうちの１つと同等であり得ることに留意されたい。つまり、これらのエンティティの内部の働きは、図２１に示されているようなものであり得、別個に、周囲のネットワークトポロジーは、図２０のものであり得る。
【０１１７】
図２１では、ＯＴＴ接続３３５０は、仲介デバイスとこれらのデバイスを介したメッセージの正確なルーティングとへの明示的言及なしに、基地局３３２０を介したホストコンピュータ３３１０とユーザ機器３３３０との間の通信を示すために抽象的に描かれている。ネットワークインフラストラクチャが、ルーティングを決定し得、ネットワークインフラストラクチャは、ＵＥ３３３０からまたはホストコンピュータ３３１０を動作させるサービスプロバイダから、またはその両方からルーティングを隠すように設定され得る。ＯＴＴ接続３３５０がアクティブである間、ネットワークインフラストラクチャは、さらに、ネットワークインフラストラクチャが、（たとえば、ネットワークの負荷分散考慮事項または再設定に基づいて）ルーティングを動的に変更する決定を行い得る。
【０１１８】
ＵＥ３３３０と基地局３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用して、ＵＥ３３３０に提供されるＯＴＴサービスの性能を改善する。より正確には、これらの実施形態の教示は、データレートおよび／またはレイテンシを改善し、それにより、低減されたユーザ待ち時間、ファイルサイズに対する緩和された制限、およびより良い応答性などの利益を提供し得る。
【０１１９】
１つまたは複数の実施形態が改善する、データレート、レイテンシおよび他のファクタを監視する目的での、測定プロシージャが提供され得る。測定結果の変動に応答して、ホストコンピュータ３３１０とＵＥ３３３０との間のＯＴＴ接続３３５０を再設定するための随意のネットワーク機能性がさらにあり得る。測定プロシージャおよび／またはＯＴＴ接続３３５０を再設定するためのネットワーク機能性は、ホストコンピュータ３３１０のソフトウェア３３１１においてまたはＵＥ３３３０のソフトウェア３３３１において、またはその両方において実装され得る。実施形態では、ＯＴＴ接続３３５０が通過する通信デバイスにおいて、またはその通信デバイスに関連して、センサー（図示せず）が展開され得、センサーは、上記で例示された監視された量の値を供給すること、またはソフトウェア３３１１、３３３１が監視された量を算出または推定し得る他の物理量の値を供給することによって、測定プロシージャに参加し得る。ＯＴＴ接続３３５０の再設定は、メッセージフォーマット、再送信セッティング、好ましいルーティングなどを含み得、再設定は、基地局３３２０に影響を及ぼす必要がなく、再設定は、基地局３３２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ３３１０の測定を容易にするプロプライエタリＵＥシグナリングを伴い得る。測定は、ソフトウェア３３１１、３３３１が、伝搬時間、エラーなどを監視しながら、ソフトウェア３３１１、３３３１が、ＯＴＴ接続３３５０を使用して、メッセージ、特に、空のまたは「ダミー」メッセージを送信させるという点で実装され得る。
【０１２０】
図２２は、一実施形態による、通信システムにおいて実装される方法を示すフローチャートである。通信システムは、図２０および図２１を参照しながら説明されたものであり得る、ホストコンピュータ、基地局およびＵＥを含む。本開示の簡単のために、図２２への図面参照のみがこのセクションに含まれる。本方法の第１のステップ３４１０において、ホストコンピュータはユーザデータを提供する。第１のステップ３４１０の随意のサブステップ３４１１において、ホストコンピュータは、ホストアプリケーションを実行することによって、ユーザデータを提供する。第２のステップ３４２０において、ホストコンピュータは、ＵＥにユーザデータを搬送する送信を始動する。随意の第３のステップ３４３０において、基地局は、本開示全体にわたって説明される実施形態の教示に従って、ホストコンピュータが始動した送信において搬送されたユーザデータをＵＥに送信する。随意の第４のステップ３４４０において、ＵＥは、ホストコンピュータによって実行されたホストアプリケーションに関連するクライアントアプリケーションを実行する。
【０１２１】
図２３は、一実施形態による、通信システムにおいて実装される方法を示すフローチャートである。通信システムは、図２０および図２１を参照しながら説明されたものであり得る、ホストコンピュータ、基地局およびＵＥを含む。本開示の簡単のために、図２３への図面参照のみがこのセクションに含まれる。本方法の第１のステップ３５１０において、ホストコンピュータはユーザデータを提供する。随意のサブステップ（図示せず）において、ホストコンピュータは、ホストアプリケーションを実行することによって、ユーザデータを提供する。第２のステップ３５２０において、ホストコンピュータは、ＵＥにユーザデータを搬送する送信を始動する。送信は、本開示全体にわたって説明される実施形態の教示に従って、基地局を介して進み得る。随意の第３のステップ３５３０において、ＵＥは、送信において搬送されたユーザデータを受信する。
【０１２２】
例示的な実施形態
実施形態１．
明示的測定規定のためのネットワークノードであって、ネットワークノードが、
命令を記憶するように動作可能なメモリと、
ネットワークノードに、
無線デバイスに、整合様式で狭帯域２次同期信号（ＮＳＳＳ）および狭帯域参照信号（ＮＲＳ）にわたって少なくとも１つの無線リソース管理（ＲＲＭ）測定を実施するためのＮＳＳＳ送信ダイバーシティ方式を送信すること
を行わせるために命令を実行するように動作可能な処理回路要素と
を備える、ネットワークノード。
【０１２３】
実施形態２．
ＮＳＳＳ送信配信方式が、ＮＳＳＳアンテナポートの数と、ＮＳＳＳアンテナポートから物理アンテナポートへのマッピングを規定するプリコーダ行列とを備える、実施形態１に記載のネットワークノード。
【０１２４】
実施形態３．
ＮＳＳＳ送信ダイバーシティ方式が、一度にＮ個の後続のＮＳＳＳサブフレームに対して実施されるべき少なくとも１つのＲＲＭ測定を実施するように無線デバイスを設定し、ここで、Ｎが整数である、実施形態１に記載のネットワークノード。
【０１２５】
実施形態４．
ＮＳＳＳ送信ダイバーシティ方式が、Ｍ＞Ｎ個のＮＳＳＳ測定オケージョンに対する少なくとも１つのＲＲＭ測定を推定するように無線デバイスを設定するが、各測定オケージョンについて、Ｎ個の後続のＮＳＳＳサブフレームがサンプリングされる、実施形態３に記載のネットワークノード。
【０１２６】
実施形態５．
ＮＳＳＳ送信ダイバーシティ方式が、Ｋ個のＮＲＳアンテナポートに対して少なくとも１つのＲＲＭ測定を実施するように無線デバイスを設定し、ここで、Ｋが整数である、実施形態１に記載のネットワークノード。
【０１２７】
実施形態６．
ＮＳＳＳ送信ダイバーシティ方式が、Ｍ＞Ｋ個の測定オケージョンに対する少なくとも１つのＲＲＭ測定を推定しながら、Ｍ個の測定オケージョンにわたるＫ個のアンテナポートに対するＮＲＳ測定の等しい分布を得ることを試みるように無線デバイスを設定する、実施形態５に記載のネットワークノード。
【０１２８】
実施形態７．
ＮＳＳＳ送信ダイバーシティ方式が、ＮＲＳアンテナポートの別個のセットに対して少なくとも１つのＲＲＭ測定を実施するように無線デバイスを設定する、実施形態１に記載のネットワークノード。
【０１２９】
実施形態８．
処理回路要素が、ネットワークノードに、ＮＲＳアンテナポートの別個のセットを無線デバイスに送信させるために命令を実行するようにさらに動作可能である、実施形態７に記載のネットワークノード。
【０１３０】
実施形態９．
ＮＲＳアンテナポートの別個のセットが仕様に基づく、実施形態７に記載のネットワークノード。
【０１３１】
実施形態１０．
ＮＳＳＳ送信ダイバーシティ方式が、マスタ情報ブロックまたはシステム情報ブロック中でブロードキャストされる、実施形態１から９のいずれか１つに記載のネットワークノード。
【０１３２】
実施形態１１．
ＮＳＳＳ送信ダイバーシティ方式が、ページングメッセージ情報ブロックの一部として、または直接指示の一部として送信される、実施形態１から９のいずれか１つに記載のネットワークノード。
【０１３３】
実施形態１２．
ＮＳＳＳ送信ダイバーシティ方式が、専用無線リソース設定（ＲＲＣ）情報エレメント（ＩＥ）またはレイヤ１制御メッセージ中で送信される、実施形態１から９のいずれか１つに記載のネットワークノード。
【０１３４】
実施形態１３．
ＲＲＣ  ＩＥがＲＲＣ解放メッセージ中に含まれ得る、
ＲＲＣ  ＩＥが、ＲａｄｉｏＲｅｓｏｕｒｃｅＣｏｎｆｉｇＤｅｄｉｃａｔｅｄ−ＮＢメッセージ中のＰｈｙｓｉｃａｌＣｏｎｆｉｇＤｅｄｉｃａｔｅｄ−ＮＢ−ｒ１３  ＩＥの一部であり得る、または
ＲＲＣ  ＩＥが、ＭｅａｓＣｏｎｆｉｇメッセージの一部であり得る、
実施形態１２に記載のネットワークノード。
【０１３５】
実施形態１４．
レイヤ１制御メッセージが、未使用ＬＣＩＤ空間のうちの１つを使用してＤＬ  ＳＣＨ中に含まれ得る、または
レイヤ１制御メッセージが、使用済みＬＣＩＤ空間のうちの１つを再解釈することによってＤＬ  ＳＣＨ中に含まれ得る、
実施形態１２に記載のネットワークノード。
【０１３６】
実施形態１５．
ＮＳＳＳ送信ダイバーシティ方式が、異なるＣＲＣマスキングを通してＮＲＳポートの数を識別し、ＣＲＣに適用されるマスクｎが、ｎ個のＮＲＳポートがあることを指示する、実施形態１から１４のいずれか１つに記載のネットワークノード。
【０１３７】
実施形態１６．
ＮＳＳＳ送信ダイバーシティ方式は、ＮＳＳＳがセル中の測定のために使用され得るかどうかを識別し、無線デバイスが、仕様に基づいて、ＮＳＳＳアンテナポートの数、ＮＳＳＳアンテナポートから物理アンテナポートへのマッピングを規定するプリコーダ行列、および他の情報を決定し得る、
実施形態１から１５のいずれか１つに記載のネットワークノード。
【０１３８】
実施形態１７．
少なくとも１つのＲＲＭ測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、実施形態１から１６のいずれか１つに記載のネットワークノード。
【０１３９】
実施形態１８．
ホストコンピュータを含む通信システムであって、
ユーザデータを提供するように設定された処理回路要素と、
ユーザ機器（ＵＥ）への送信のためにユーザデータをセルラーネットワークにフォワーディングするように設定された通信インターフェースと
を備え、
セルラーネットワークが、無線インターフェースと処理回路要素とを有する基地局を備え、基地局の処理回路要素が、
無線デバイスに、整合様式で狭帯域２次同期信号（ＮＳＳＳ）および狭帯域参照信号（ＮＲＳ）にわたって少なくとも１つの無線リソース管理（ＲＲＭ）測定を実施するためのＮＳＳＳ送信ダイバーシティ方式を送信する
ように設定された、通信システム。
【０１４０】
実施形態１９．
基地局をさらに含む、実施形態１８に記載の通信システム。
【０１４１】
実施形態２０．
ＵＥをさらに含み、ＵＥが基地局と通信するように設定された、実施形態１９に記載の通信システム。
【０１４２】
実施形態２１．
ホストコンピュータの処理回路要素が、ホストアプリケーションを実行し、それによりユーザデータを提供するように設定され、
ＵＥが、ホストアプリケーションに関連するクライアントアプリケーションを実行するように設定された処理回路要素を備える、
実施形態２０に記載の通信システム。
【０１４３】
実施形態２２．
明示的測定規定のためのネットワークノードによる方法であって、
無線デバイスに、整合様式で狭帯域２次同期信号（ＮＳＳＳ）および狭帯域参照信号（ＮＲＳ）にわたって少なくとも１つの無線リソース管理（ＲＲＭ）測定を実施するためのＮＳＳＳ送信ダイバーシティ方式を送信すること
を含む、方法。
【０１４４】
実施形態２３．
ＮＳＳＳ送信配信方式が、ＮＳＳＳアンテナポートの数と、ＮＳＳＳアンテナポートから物理アンテナポートへのマッピングを規定するプリコーダ行列とを備える、実施形態２２に記載の方法。
【０１４５】
実施形態２４．
ＮＳＳＳ送信ダイバーシティ方式が、一度にＮ個の後続のＮＳＳＳサブフレームに対して実施されるべき少なくとも１つのＲＲＭ測定を実施するように無線デバイスを設定し、ここで、Ｎが整数である、実施形態２２に記載の方法。
【０１４６】
実施形態２５．
ＮＳＳＳ送信ダイバーシティ方式が、Ｍ＞Ｎ個のＮＳＳＳ測定オケージョンに対する少なくとも１つのＲＲＭ測定を推定するように無線デバイスを設定するが、各測定オケージョンについて、Ｎ個の後続のＮＳＳＳサブフレームがサンプリングされる、実施形態２４に記載の方法。
【０１４７】
実施形態２６．
ＮＳＳＳ送信ダイバーシティ方式が、Ｋ個のＮＲＳアンテナポートに対して少なくとも１つのＲＲＭ測定を実施するように無線デバイスを設定し、ここで、Ｋが整数である、実施形態２２に記載の方法。
【０１４８】
実施形態２７．
ＮＳＳＳ送信ダイバーシティ方式が、Ｍ＞Ｋ個の測定オケージョンに対する少なくとも１つのＲＲＭ測定を推定しながら、Ｍ個の測定オケージョンにわたるＫ個のアンテナポートに対するＮＲＳ測定の等しい分布を得ることを試みるように無線デバイスを設定する、実施形態２６に記載の方法。
【０１４９】
実施形態２８．
ＮＳＳＳ送信ダイバーシティ方式が、ＮＲＳアンテナポートの別個のセットに対して少なくとも１つのＲＲＭ測定を実施するように無線デバイスを設定する、実施形態２２に記載の方法。
【０１５０】
実施形態２９．
無線デバイスにＮＲＳアンテナポートの別個のセットを送信することをさらに含む、実施形態２８に記載の方法。
【０１５１】
実施形態３０．
ＮＲＳアンテナポートの別個のセットが仕様に基づく、実施形態２８に記載の方法。
【０１５２】
実施形態３１．
ＮＳＳＳ送信ダイバーシティ方式が、マスタ情報ブロックまたはシステム情報ブロック中でブロードキャストされる、実施形態２２から３０のいずれか１つに記載の方法。
【０１５３】
実施形態３２．
ＮＳＳＳ送信ダイバーシティ方式が、ページングメッセージ情報ブロックの一部として、または直接指示の一部として送信される、実施形態２２から３０のいずれか１つに記載の方法。
【０１５４】
実施形態３３．
ＮＳＳＳ送信ダイバーシティ方式が、専用無線リソース設定（ＲＲＣ）情報エレメント（ＩＥ）またはレイヤ１制御メッセージ中で送信される、実施形態２２から３０のいずれか１つに記載の方法。
【０１５５】
実施形態３４．
ＲＲＣ  ＩＥがＲＲＣ解放メッセージ中に含まれ得る、
ＲＲＣ  ＩＥが、ＲａｄｉｏＲｅｓｏｕｒｃｅＣｏｎｆｉｇＤｅｄｉｃａｔｅｄ−ＮＢメッセージ中のＰｈｙｓｉｃａｌＣｏｎｆｉｇＤｅｄｉｃａｔｅｄ−ＮＢ−ｒ１３  ＩＥの一部であり得る、または
ＲＲＣ  ＩＥが、ＭｅａｓＣｏｎｆｉｇメッセージの一部であり得る、
実施形態３３に記載の方法。
【０１５６】
実施形態３５．
レイヤ１制御メッセージが、未使用ＬＣＩＤ空間のうちの１つを使用してＤＬ  ＳＣＨ中に含まれ得る、または
レイヤ１制御メッセージが、使用済みＬＣＩＤ空間のうちの１つを再解釈することによってＤＬ  ＳＣＨ中に含まれ得る、
実施形態３３に記載の方法。
【０１５７】
実施形態３６．
ＮＳＳＳ送信ダイバーシティ方式が、異なるＣＲＣマスキングを通してＮＲＳポートの数を識別し、ＣＲＣに適用されるマスクｎが、ｎ個のＮＲＳポートがあることを指示する、実施形態２２から３５のいずれか１つに記載の方法。
【０１５８】
実施形態３７．
ＮＳＳＳ送信ダイバーシティ方式は、ＮＳＳＳがセル中の測定のために使用され得るかどうかを識別し、無線デバイスが、仕様に基づいて、ＮＳＳＳアンテナポートの数、ＮＳＳＳアンテナポートから物理アンテナポートへのマッピングを規定するプリコーダ行列、および他の情報を決定し得る、
実施形態２２から３５のいずれか１つに記載の方法。
【０１５９】
実施形態３８．
少なくとも１つのＲＲＭ測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、実施形態２２から３５のいずれか１つに記載の方法。
【０１６０】
実施形態３９．
コンピュータ可読プログラムコードを記憶する非一時的コンピュータ可読媒体を備えるコンピュータプログラム製品であって、コンピュータ可読プログラムコードが、実施形態２２から３８に記載の方法のうちのいずれか１つを実施するためのプログラムコードを含む、コンピュータプログラム製品。
【０１６１】
実施形態４０．
ホストコンピュータと、基地局と、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラーネットワークを介してＵＥにユーザデータを搬送する送信を始動することと
を含み、基地局が、
無線デバイスに、整合様式で狭帯域２次同期信号（ＮＳＳＳ）および狭帯域参照信号（ＮＲＳ）にわたって少なくとも１つの無線リソース管理（ＲＲＭ）測定を実施するためのＮＳＳＳ送信ダイバーシティ方式を送信すること
を実施する、方法。
【０１６２】
実施形態４１．
基地局において、ユーザデータを送信すること
をさらに含む、実施形態４０に記載の方法。
【０１６３】
実施形態４２．
ユーザデータが、ホストアプリケーションを実行することによって、ホストコンピュータにおいて提供され、方法が、
ＵＥにおいて、ホストアプリケーションに関連するクライアントアプリケーションを実行すること
をさらに含む、実施形態４１に記載の方法。
【０１６４】
実施形態４３．
明示的測定規定のための無線デバイスであって、無線デバイスが、
命令を記憶するように動作可能なメモリと、
無線デバイスに、
狭帯域２次同期信号（ＮＳＳＳ）送信ダイバーシティ方式に関係する情報を受信することと、
ＮＳＳＳ送信ダイバーシティ方式に基づいて、整合様式でＮＳＳＳおよび狭帯域参照信号（ＮＲＳ）にわたって少なくとも１つの無線リソース管理（ＲＲＭ）測定を実施することと
を行わせるために命令を実行するように動作可能な処理回路要素と
を備える、無線デバイス。
【０１６５】
実施形態４４．
ＮＳＳＳ送信配信方式が、ＮＳＳＳアンテナポートの数と、ＮＳＳＳアンテナポートから物理アンテナポートへのマッピングを規定するプリコーダ行列とを備える、実施形態４３に記載の無線デバイス。
【０１６６】
実施形態４５．
少なくとも１つのＲＲＭ測定を実施することが、一度にＮ個の後続のＮＳＳＳサブフレームに対して少なくとも１つのＲＲＭ測定を実施することを含み、ここで、Ｎが整数である、実施形態４３に記載の無線デバイス。
【０１６７】
実施形態４６．
少なくとも１つのＲＲＭ測定を実施することが、Ｍ＞Ｎ個のＮＳＳＳ測定オケージョンに対する少なくとも１つのＲＲＭ測定を推定することを含むが、各測定オケージョンについて、Ｎ個の後続のＮＳＳＳサブフレームがサンプリングされる、実施形態４５に記載の無線デバイス。
【０１６８】
実施形態４７．
少なくとも１つのＲＲＭ測定を実施することが、Ｋ個のＮＲＳアンテナポートに対して少なくとも１つのＲＲＭ測定を実施することを含み、ここで、Ｋが整数である、実施形態４３に記載の無線デバイス。
【０１６９】
実施形態４８．
少なくとも１つのＲＲＭ測定を実施することが、Ｍ＞Ｋ個の測定オケージョンに対する少なくとも１つのＲＲＭ測定を推定しながら、Ｍ個の測定オケージョンにわたるＫ個のアンテナポートに対するＮＲＳ測定の等しい分布を得ることを試みることを含む、実施形態４７に記載の無線デバイス。
【０１７０】
実施形態４９．
少なくとも１つのＲＲＭ測定を実施することが、ＮＲＳアンテナポートの別個のセットに対して少なくとも１つのＲＲＭ測定を実施することを含む、実施形態４３に記載の無線デバイス。
【０１７１】
実施形態５０．
ＮＲＳアンテナポートの別個のセットが、ネットワークノードから受信される、実施形態４９に記載の無線デバイス。
【０１７２】
実施形態５１．
ＮＲＳアンテナポートの別個のセットが、仕様に基づいて決定される、実施形態４９に記載の無線デバイス。
【０１７３】
実施形態５２．
ＮＳＳＳ送信ダイバーシティ方式が、マスタ情報ブロックまたはシステム情報ブロック中で受信される、実施形態４３から５１のいずれか１つに記載の無線デバイス。
【０１７４】
実施形態５３．
ＮＳＳＳ送信ダイバーシティ方式が、ページングメッセージ情報ブロックの一部として、または直接指示の一部として受信される、実施形態４３から５１のいずれか１つに記載の無線デバイス。
【０１７５】
実施形態５４．
ＮＳＳＳ送信ダイバーシティ方式が、専用無線リソース設定（ＲＲＣ）情報エレメント（ＩＥ）またはレイヤ１制御メッセージ中で受信される、実施形態４３から５１のいずれか１つに記載の無線デバイス。
【０１７６】
実施形態５５．
ＲＲＣ  ＩＥがＲＲＣ解放メッセージ中に含まれ得る、
ＲＲＣ  ＩＥが、ＲａｄｉｏＲｅｓｏｕｒｃｅＣｏｎｆｉｇＤｅｄｉｃａｔｅｄ−ＮＢメッセージ中のＰｈｙｓｉｃａｌＣｏｎｆｉｇＤｅｄｉｃａｔｅｄ−ＮＢ−ｒ１３  ＩＥの一部であり得る、または
ＲＲＣ  ＩＥが、ＭｅａｓＣｏｎｆｉｇメッセージの一部であり得る、
実施形態５４に記載の無線デバイス。
【０１７７】
実施形態５６．
レイヤ１制御メッセージが、未使用ＬＣＩＤ空間のうちの１つを使用してＤＬ  ＳＣＨ中に含まれ得る、または
レイヤ１制御メッセージが、使用済みＬＣＩＤ空間のうちの１つを再解釈することによってＤＬ  ＳＣＨ中に含まれ得る、
実施形態５４に記載の無線デバイス。
【０１７８】
実施形態５７．
ＮＳＳＳ送信ダイバーシティ方式が、異なるＣＲＣマスキングを通してＮＲＳポートの数を識別し、ＣＲＣに適用されるマスクｎが、ｎ個のＮＲＳポートがあることを指示する、実施形態４３から５６のいずれか１つに記載の無線デバイス。
【０１７９】
実施形態５８．
複数のＣＲＣマスクの各々を試みることと、
複数のＣＲＣマスクのうちの特定の１つが正しいＣＲＣを生じると決定することと、
Ｎ個の後続のＮＳＳＳサブフレームに対して連続ＮＲＳＲＰ測定を実施することと
をさらに含む、実施形態５７に記載の無線デバイス。
【０１８０】
実施形態５９．
ＮＳＳＳ送信ダイバーシティ方式は、ＮＳＳＳがセル中の測定のために使用され得るかどうかを識別し、
処理回路要素が、無線デバイスに、仕様に基づいて、ＮＳＳＳアンテナポートの数、ＮＳＳＳアンテナポートから物理アンテナポートへのマッピングを規定するプリコーダ行列、および他の情報を決定させるために命令を実行するようにさらに動作可能である、
実施形態４３から５８のいずれか１つに記載の無線デバイス。
【０１８１】
実施形態６０．
少なくとも１つのＲＲＭ測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、実施形態４３から５９のいずれか１つに記載の無線デバイス。
【０１８２】
実施形態６１．
ホストコンピュータを含む通信システムであって、
ユーザデータを提供するように設定された処理回路要素と、
ユーザ機器（ＵＥ）への送信のためにユーザデータをセルラーネットワークにフォワーディングするように設定された通信インターフェースと
を備え、
ＵＥが、無線インターフェースと処理回路要素とを備え、ＵＥの処理回路要素が、
狭帯域２次同期信号（ＮＳＳＳ）送信ダイバーシティ方式に関係する情報を受信することと、
ＮＳＳＳ送信ダイバーシティ方式に基づいて、整合様式でＮＳＳＳおよび狭帯域参照信号（ＮＲＳ）にわたって少なくとも１つの無線リソース管理（ＲＲＭ）測定を実施することと
を行うように設定された、通信システム。
【０１８３】
実施形態６２．
ＵＥをさらに含む、実施形態６１に記載の通信システム。
【０１８４】
実施形態６３．
セルラーネットワークが、ＵＥと通信するように設定された基地局をさらに含む、実施形態６２に記載の通信システム。
【０１８５】
実施形態６４．
ホストコンピュータの処理回路要素が、ホストアプリケーションを実行し、それによりユーザデータを提供するように設定され、
ＵＥの処理回路要素が、ホストアプリケーションに関連するクライアントアプリケーションを実行するように設定された、
実施形態６２または６３に記載の通信システム。
【０１８６】
実施形態６５．
明示的測定規定のための無線デバイスによる方法であって、方法が、
狭帯域２次同期信号（ＮＳＳＳ）送信ダイバーシティ方式に関係する情報を受信することと、
ＮＳＳＳ送信ダイバーシティ方式に基づいて、整合様式でＮＳＳＳおよび狭帯域参照信号（ＮＲＳ）にわたって少なくとも１つの無線リソース管理（ＲＲＭ）測定を実施することと
を含む、方法。
【０１８７】
実施形態６６．
ＮＳＳＳ送信配信方式が、ＮＳＳＳアンテナポートの数と、ＮＳＳＳアンテナポートから物理アンテナポートへのマッピングを規定するプリコーダ行列とを備える、実施形態６５に記載の方法。
【０１８８】
実施形態６７．
少なくとも１つのＲＲＭ測定を実施することが、一度にＮ個の後続のＮＳＳＳサブフレームに対して少なくとも１つのＲＲＭ測定を実施することを含み、ここで、Ｎが整数である、実施形態６５に記載の方法。
【０１８９】
実施形態６８．
少なくとも１つのＲＲＭ測定を実施することが、Ｍ＞Ｎ個のＮＳＳＳ測定オケージョンに対する少なくとも１つのＲＲＭ測定を推定することを含むが、各測定オケージョンについて、Ｎ個の後続のＮＳＳＳサブフレームがサンプリングされる、実施形態６７に記載の方法。
【０１９０】
実施形態６９．
少なくとも１つのＲＲＭ測定を実施することが、Ｋ個のＮＲＳアンテナポートに対して少なくとも１つのＲＲＭ測定を実施することを含み、ここで、Ｋが整数である、実施形態６５に記載の方法。
【０１９１】
実施形態７０．
少なくとも１つのＲＲＭ測定を実施することが、Ｍ＞Ｋ個の測定オケージョンに対する少なくとも１つのＲＲＭ測定を推定しながら、Ｍ個の測定オケージョンにわたるＫ個のアンテナポートに対するＮＲＳ測定の等しい分布を得ることを試みることを含む、実施形態６９に記載の方法。
【０１９２】
実施形態７１．
少なくとも１つのＲＲＭ測定を実施することが、ＮＲＳアンテナポートの別個のセットに対して少なくとも１つのＲＲＭ測定を実施することを含む、実施形態６５に記載の方法。
【０１９３】
実施形態７２．
ＮＲＳアンテナポートの別個のセットが、ネットワークノードから受信される、実施形態７１に記載の方法。
【０１９４】
実施形態７３．
ＮＲＳアンテナポートの別個のセットが仕様に基づいて決定される、実施形態７１に記載の方法。
【０１９５】
実施形態７４．
ＮＳＳＳ送信ダイバーシティ方式が、マスタ情報ブロックまたはシステム情報ブロック中で受信される、実施形態６５から７３のいずれか１つに記載の方法。
【０１９６】
実施形態７５．
ＮＳＳＳ送信ダイバーシティ方式が、ページングメッセージ情報ブロックの一部として、または直接指示の一部として受信される、実施形態６５から７３のいずれか１つに記載の方法。
【０１９７】
実施形態７６．
ＮＳＳＳ送信ダイバーシティ方式が、専用無線リソース設定（ＲＲＣ）情報エレメント（ＩＥ）またはレイヤ１制御メッセージ中で受信される、実施形態６５から７３のいずれか１つに記載の方法。
【０１９８】
実施形態７７．
ＲＲＣ  ＩＥがＲＲＣ解放メッセージ中に含まれ得る、
ＲＲＣ  ＩＥが、ＲａｄｉｏＲｅｓｏｕｒｃｅＣｏｎｆｉｇＤｅｄｉｃａｔｅｄ−ＮＢメッセージ中のＰｈｙｓｉｃａｌＣｏｎｆｉｇＤｅｄｉｃａｔｅｄ−ＮＢ−ｒ１３  ＩＥの一部であり得る、または
ＲＲＣ  ＩＥが、ＭｅａｓＣｏｎｆｉｇメッセージの一部であり得る、
実施形態７６に記載の方法。
【０１９９】
実施形態７８．
レイヤ１制御メッセージが、未使用ＬＣＩＤ空間のうちの１つを使用してＤＬ  ＳＣＨ中に含まれ得る、または
レイヤ１制御メッセージが、使用済みＬＣＩＤ空間のうちの１つを再解釈することによってＤＬ  ＳＣＨ中に含まれ得る、
実施形態７６に記載の方法。
【０２００】
実施形態７９．
ＮＳＳＳ送信ダイバーシティ方式が、異なるＣＲＣマスキングを通してＮＲＳポートの数を識別し、ＣＲＣに適用されるマスクｎが、ｎ個のＮＲＳポートがあることを指示する、実施形態６５から７８のいずれか１つに記載の方法。
【０２０１】
実施形態８０．
複数のＣＲＣマスクの各々を試みることと、
複数のＣＲＣマスクのうちの特定の１つが正しいＣＲＣを生じると決定することと、
Ｎ個の後続のＮＳＳＳサブフレームに対して連続ＮＲＳＲＰ測定を実施することと
をさらに含む、実施形態７９に記載の方法。
【０２０２】
実施形態８１．
ＮＳＳＳ送信ダイバーシティ方式は、ＮＳＳＳがセル中の測定のために使用され得るかどうかを識別し、
方法が、仕様に基づいて、ＮＳＳＳアンテナポートの数、ＮＳＳＳアンテナポートから物理アンテナポートへのマッピングを規定するプリコーダ行列、および他の情報を決定することをさらに含む、
実施形態６５から８０のいずれか１つに記載の方法。
【０２０３】
実施形態８２．
少なくとも１つのＲＲＭ測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、実施形態６５から８１のいずれか１つに記載の方法。
【０２０４】
実施形態８３．
コンピュータ可読プログラムコードを記憶する非一時的コンピュータ可読媒体を備えるコンピュータプログラム製品であって、コンピュータ可読プログラムコードが、実施形態６５から８２に記載の方法のうちのいずれか１つを実施するためのプログラムコードを含む、コンピュータプログラム製品。
【０２０５】
実施形態８４．
ホストコンピュータと、基地局と、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラーネットワークを介してＵＥにユーザデータを搬送する送信を始動することと
を含み、ＵＥが、
狭帯域２次同期信号（ＮＳＳＳ）送信ダイバーシティ方式に関係する情報を受信し、
ＮＳＳＳ送信ダイバーシティ方式に基づいて、整合様式でＮＳＳＳおよび狭帯域参照信号（ＮＲＳ）にわたって少なくとも１つの無線リソース管理（ＲＲＭ）測定を実施する、方法。
【０２０６】
実施形態８５．
ＵＥにおいて、基地局からユーザデータを受信すること
をさらに含む、実施形態８４に記載の方法。
【０２０７】
追加情報；送信ダイバーシティにおけるＮＳＳＳ測定精度に関して
ＮＢ−ＩｏＴ測定精度の改善は、ＮＲＳＲＰを決定するときにＮＳＳＳをＮＲＳのためのプロキシとして使用することによるものであり得る。識別された１つの問題点は、ポートの異なる組合せが、異なる伝搬経路および／またはビームフォーミング効果につながるので、ＮＳＳＳの送信のために使用されるアンテナポートにおけるフレキシビリティが、ＵＥについての問題を提示し得ることである。現在の仕様では、ＵＥは、ｅノードＢによって使用される送信ポートパターンについて、そのような送信方式が一般にプロプライエタリであるので、まったく知らず、したがって、結局、最悪のビームまたは伝搬経路に対して一貫して測定することになり、したがって、ＮＲＳＲＰを過小評価し得る。測定のために使用される（１つまたは複数の）アンテナポートが、サブフレームにわたっておよびＮＳＳＳにおけるセルにわたって任意に変わり得ることが、識別された。
【０２０８】
本開示では、その問題点はシミュレーションによってさらに調査され、このシミュレーションに基づいて、最も好都合でない設定に対して一貫して測定することを回避するために、ＮＳＳＳ送信ダイバーシティ設定がどのくらい変化するかに関する情報をＵＥが与えられるものとすることが提案される。
【０２０９】
シミュレーション：表１において提供されるパラメータを用いたシミュレーションのセットが行われた。第１のサブセットでは、同じ信号が両方のＴＸポートから送信される送信ダイバーシティ方式が使用され、第２のサブセットでは、第２のＴＸポートの符号が、異なるＮＳＳＳオケージョン間でランダム化された。
【０２１０】
シミュレーションの第１のサブセットは、ＵＥがＬ１測定期間全体にわたって同じ送信ダイバーシティ設定に対して一貫して測定していることをモデル化し、第２のサブセットは、ＵＥが両方の送信ダイバーシティ設定に対して測定していることをモデル化する。
2021505009.tif 000005
【０２１１】
各ＴＸポートとＵＥ  ＲＸアンテナとの間の、静的１タップチャネル（ＬＯＳ）およびＥＴＵ  １Ｈｚチャネルについてのシミュレーション結果が、それぞれ、静的送信方式、および第２のＴＸポートのランダム化された符号について、図２４および図２５に示されている。詳細には、図２４は、両方のＴＸポート上で同じ符号をもつ送信ダイバーシティについてのＡＷＧＮ伝搬状態におけるＮＳＳＳ受信電力推定を示し、図２５は、第２のＴＸポートのランダム化された符号をもつ送信ダイバーシティについてのＡＷＧＮ伝搬状態におけるＮＳＳＳ受信電力推定を示す。図２６は、ＡＷＧＮについて、参照のために、Ｒ４−１７１１４５３「Ｏｎ  ｍｅａｓｕｒｅｍｅｎｔｓ  ａｃｃｕｒａｃｙ  ｗｈｅｎ  ｕｓｉｎｇ  ＮＳＳＳ  ａｎｄ  ＮＲＳ」、Ｅｒｉｃｓｓｏｎからの単一Ｔｘポートシミュレーション結果を示す。
【０２１２】
図２７は、両方のＴＸポート上で同じ符号をもつ送信ダイバーシティについてのＥＴＵ  １Ｈｚ伝搬状態におけるＮＳＳＳ受信電力推定を示し、図２８は、第２のＴＸポートのランダム化された符号をもつ送信ダイバーシティについてのＥＴＵ  １Ｈｚ伝搬状態におけるＮＳＳＳ受信電力推定を示す。図２９は、ＥＴＵ  １Ｈｚについて、参照のために、Ｒ４−１７１１４５３「Ｏｎ  ｍｅａｓｕｒｅｍｅｎｔｓ  ａｃｃｕｒａｃｙ  ｗｈｅｎ  ｕｓｉｎｇ  ＮＳＳＳ  ａｎｄ  ＮＲＳ」、Ｅｒｉｃｓｓｏｎからの単一Ｔｘポートシミュレーション結果を示す。
【０２１３】
考察：シミュレーション結果は、２つ以上の物理ＴｘポートからＮＳＳＳを送信する基地局、静的１タップ伝搬チャネル（ＡＷＧＮ）、および同じ送信ダイバーシティ設定に対して一貫して測定するＵＥの場合、ＳＳＲＰ（ＮＲＳＲＰ）がしばしば著しく過小評価されること（図２４、５パーセンタイル参照）を指示する。ＵＥが、代わりに、異なる送信ダイバーシティ設定に対して測定することの間で交代させるとき、状況は改善される（図２５参照）。後者を、単一の物理ＴｘアンテナポートからのＮＳＳＳの送信についてのシミュレーション結果（図２６参照）と比較すると、結果の変動はやや大きくなり、約±０．５ｄＢであるが、それ以外は、単一の物理Ｔｘアンテナポートについてのものと同様である。
【０２１４】
フェージング状態の場合、基地局が２つの物理Ｔｘポートから送信し、ＵＥが同じ送信ダイバーシティ設定に対して一貫して測定する場合（図２８参照）と、単一の物理Ｔｘポートの場合（図２９参照）との間に有意な差がない。ＵＥが両方の送信ダイバーシティ設定に対して測定しているシナリオ（図２８参照）の場合、結果は、変動が減少するという点で、単一のＴｘポートの場合からの結果よりもさらに改善する。
【０２１５】
所見１：ＮＳＳＳの送信ダイバーシティは、ＵＥが静的伝搬状態にあるとき、およびＵＥがＬ１測定期間全体にわたって同じ送信ダイバーシティ設定に対して一貫して測定している場合にのみ、ＵＥの測定精度についての問題を提示し得る。
【０２１６】
所見２：ＮＳＳＳの送信ダイバーシティは、フェージング状態におけるＵＥについての測定精度に対して悪影響を有しないように思われる。
【０２１７】
ＡＷＧＮについての結果は、以下のように説明され得る。ＡＷＧＮモデルは、無線チャネルによって導入される位相が［０，２π］内でランダム化され、次いで全シミュレーション（この場合、Ｌ１期間）全体にわたって適用されることに基づく。２つのＴｘポートから同じ情報を送信し、１つのＲｘアンテナで情報を受信するとき、ＵＥは、同じ信号のものであるが、ランダム化された位相をもつ２つのレプリカの線形結合を経験する。線形結合は、弱め合うかまたは強め合うことがある。前者の場合、最悪の場合には、２つの信号経路は、完全に互いを消去し得、後者の場合、２つの信号経路は、２倍のエネルギーが受信されることを生じ得る。
【０２１８】
図３０は、ＣＤＦを示す。
2021505009.tif 000006
のべき乗のＣＤＦ、ここで、αおよびβが各々［０，２π］内でランダム化される、を見ると、図３０において、５パーセンタイルが受信機における送信信号の有意な消滅を表すことは、明らかである。代わりに、
2021505009.tif 000007
を測定することと
2021505009.tif 000008
を測定することとの間で交代させるとき、受信信号は、送信信号の弱め合う組合せと送信信号の強め合う組合せとの間で交代させることになる。Ｌ１測定期間中に両方の送信ダイバーシティ設定を同じ回数測定する場合、結果は、単一の物理ＴＸポートの場合と同様になる。
【０２１９】
ここでＥＴＵ  １Ｈｚによって表されるフェージングシナリオの場合、２つの伝搬経路間の相対位相は、Ｌ１測定期間全体にわたって変化し、したがって、受信電力は、送信信号が弱め合うように組み合わせられることと強め合うように組み合わせられることとの混合を備える。
【０２２０】
上記の説明に基づいて、本開示は、ＵＥが、同じ、および潜在的に最も好都合でない設定を使用してＮＳＳＳオケージョンのみに対して測定するのを防ぐために、ＮＳＳＳ送信ダイバーシティ設定がどのように変化するかに関する情報をＵＥが必要とすることを識別する。
【０２２１】
いくつかの態様では、ＮＳＳＳ送信ダイバーシティが採用されたとき、ＵＥが最も好都合でない設定に対して一貫して測定するのを防ぐために、ＵＥは、送信ダイバーシティ設定がどのように変化するかに関する情報を得るものとする。
【０２２２】
ＮＳＳＳ送信ダイバーシティがＲＡＮ１仕様において未解決であり、ドナーセル（帯域内およびガードバンドシナリオ）が３つ以上の物理Ｔｘポートを有し得るので、使用中の３つ以上のＮＳＳＳ送信ダイバーシティ設定があり得ることに留意されたい。これは、ＵＥに伝達されるべき情報を指定するときに考慮に入れられる必要がある。
【０２２３】
結論：本開示では、測定されたＮＳＳＳ受信電力に対するＮＳＳＳ送信ダイバーシティに関する影響が分析された。以下の所見が述べられた。
【０２２４】
所見１：ＮＳＳＳの送信ダイバーシティは、ＵＥが静的伝搬状態にあるとき、およびＵＥがＬ１測定期間全体にわたって同じ送信ダイバーシティ設定に対して一貫して測定している場合にのみ、ＵＥの測定精度についての問題を提示し得る。
【０２２５】
所見２：ＮＳＳＳの送信ダイバーシティは、フェージング状態におけるＵＥについての測定精度に対して悪影響を有しないように思われる。
【０２２６】
本開示の態様は以下の通りである：ＮＳＳＳ送信ダイバーシティが採用されたとき、ＵＥが最も好都合でない設定に対して一貫して測定するのを防ぐために、ＵＥは、送信ダイバーシティ設定がどのように変化するかに関する情報を得るものとする。さらなる情報がＲ４−１７１３５８３において提供される。
【０２２７】
追加情報；狭帯域測定精度向上に対するＬＳ返答
さらなる情報がＲ４−１７１１８９３において見つけられる。態様は、ＮＳＳＳの送信のための送信ダイバーシティ方式の使用に関係するＮＳＳＳベースの測定精度についての問題点に関係する。
【０２２８】
以下の問題点が見つけられる：
・使用中の送信ダイバーシティ方式は、ＵＥが、受信信号が最も好都合でないＮＳＳＳオケージョンにおいて、電力測定を一貫して知らずに行い得るという点で、静的伝搬状態を経るＵＥに対する悪影響を有し得る。
・送信ダイバーシティ方式の悪影響は、Ｌ１測定期間中のＵＥが使用中の両方の送信ダイバーシティ設定に対して等しく測定する場合、回避され得る。
【０２２９】
ＵＥが、使用中の送信ダイバーシティ方式、たとえば、連続するＮＳＳＳオケージョンにわたって循環されるＮＳＳＳ送信ダイバーシティ設定の数を知っている場合、ＵＥは、使用中の送信ダイバーシティ設定のうちの１つに対してのみ測定を行うことを回避するように測定プロシージャを適応させることができる。そのような情報は、たとえば、仕様を介してＵＥに伝達されるか、またはＵＥにシグナリングされ得る。
【０２３０】
略語
略語  説明
３ＧＰＰ  第３世代パートナーシッププロジェクト
ＢＳ  基地局
ＣＲＣ  サイクリック冗長チェック
ＤＬ  ダウンリンク
ｅＮＢ  エボルブドノードＢ
ＩｏＴ  モノのインターネット
ＬＴＥ  Ｌｏｎｇ−Ｔｅｒｍ  Ｅｖｏｌｕｔｉｏｎ
ＭＩＳＯ  多入力単出力
ＮＢ−ＩｏＴ  狭帯域モノのインターネット
ＮＲＳ  狭帯域参照信号
ＮＲＳＲＰ  狭帯域参照信号受信電力
ＮＳＳＳ  狭帯域２次同期信号
ＰＲＢ  物理リソースブロック
ＲＲＣ  無線リソース制御（プロトコル）
ＵＥ  ユーザ機器
ＵＬ  アップリンク
【０２３１】
結論
本開示の範囲から逸脱することなく、本明細書で説明されるシステムおよび装置に対して修正、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各メンバーまたはセットのサブセットの各メンバーを指す。
【０２３２】
本開示の範囲から逸脱することなく、本明細書で説明される方法に対して修正、追加、または省略が行われ得る。本方法は、より多数の、より少数の、または他のステップを含み得る。さらに、ステップは、任意の好適な順序で実施され得る。
【０２３３】
本開示はいくつかの実施形態に関して説明されたが、実施形態の改変および置換は当業者に明らかである。したがって、実施形態の上記の説明は、本開示を制約しない。他の変更、置換、および改変が、本開示の趣旨および範囲から逸脱することなく可能である。
【図１】
2021505009.tif 000009
【図２】
2021505009.tif 000010
【図３】
2021505009.tif 000011
【図４】
2021505009.tif 000012
【図５】
2021505009.tif 000013
【図６】
2021505009.tif 000014
【図７】
2021505009.tif 000015
【図８】
2021505009.tif 000016
【図９】
2021505009.tif 000017
【図１０】
2021505009.tif 000018
【図１１】
2021505009.tif 000019
【図１２】
2021505009.tif 000020
【図１３】
2021505009.tif 000021
【図１４】
2021505009.tif 000022
【図１５】
2021505009.tif 000023
【図１６】
2021505009.tif 000024
【図１７】
2021505009.tif 000025
【図１８】
2021505009.tif 000026
【図１９】
2021505009.tif 000027
【図２０】
2021505009.tif 000028
【図２１】
2021505009.tif 000029
【図２２】
2021505009.tif 000030
【図２３】
2021505009.tif 000031
【図２４】
2021505009.tif 000032
【図２５】
2021505009.tif 000033
【図２６】
2021505009.tif 000034
【図２７】
2021505009.tif 000035
【図２８】
2021505009.tif 000036
【図２９】
2021505009.tif 000037
【図３０】
2021505009.tif 000038
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
無線デバイス（１１０）による方法（５００）であって、前記方法は、
狭帯域２次同期信号（ＮＳＳＳ）送信ダイバーシティ方式に関係する情報を受信することであって、前記情報が、異なるＮＳＳＳ送信ダイバーシティ設定を使用するＮＳＳＳオケージョンの数を指示する、情報を受信すること
を含み、
受信された指示が、前記ＮＳＳＳオケージョンにわたって少なくとも１つの測定を実施する際に使用するためのものである、方法（５００）。
【請求項２】
前記異なるＮＳＳＳ送信ダイバーシティ設定が複数の異なるプリコーダを備える、請求項１に記載の方法。
【請求項３】
前記少なくとも１つの測定を実施することが、ＮＳＳＳ送信ダイバーシティ期間を規定する、整数Ｎ個の連続するＮＳＳＳ送信に対して前記少なくとも１つの測定を実施することを含む、請求項１または２に記載の方法。
【請求項４】
前記少なくとも１つの測定を実施することが、多数のＮＳＳＳ送信ダイバーシティ期間にわたって前記少なくとも１つの測定を実施することを含む、請求項３に記載の方法。
【請求項５】
前記少なくとも１つの測定を実施することが、前記数Ｎ個の連続するＮＳＳＳオケージョンにわたる平均を決定することを含む、請求項１から４のいずれか一項に記載の方法。
【請求項６】
前記ＮＳＳＳ送信ダイバーシティ方式が、ＮＳＳＳアンテナポートの数Ｌと、ＮＳＳＳ送信ダイバーシティ期間内の各ＮＳＳＳオケージョンについて各ＮＳＳＳアンテナポートから１つまたは複数の物理アンテナポートへのマッピングを規定するプリコーダ行列のセットとを備え、および／または、
前記少なくとも１つの測定を実施することが、ある数Ｋ個の狭帯域参照信号（ＮＲＳ）アンテナポートに対して前記少なくとも１つの測定を実施することを含み、Ｋが整数である、請求項１から５のいずれか一項に記載の方法。
【請求項７】
前記少なくとも１つの測定を実施することが、ある数Ｍ個の測定オケージョンに対する前記少なくとも１つの測定を推定しながら、前記Ｍ個の測定オケージョンにわたる前記数Ｋ個のＮＲＳアンテナポートに対するＮＲＳ測定の等しい分布を得ることを試みることを含み、ＭはＫ以上である、請求項６に記載の方法。
【請求項８】
前記少なくとも１つの測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、請求項１から７のいずれか一項に記載の方法。
【請求項９】
無線デバイス（１１０）であって、
命令を記憶するメモリ（２３０）と、
前記無線デバイスに、
狭帯域２次同期信号（ＮＳＳＳ）送信ダイバーシティ方式に関係する情報を受信することであって、前記情報が、異なるＮＳＳＳ送信ダイバーシティ設定を使用するＮＳＳＳオケージョンの数を指示する、情報を受信すること
を行わせるために前記命令を実行するように動作可能な処理回路要素（２２０）と
備え、
前記受信された情報が、ＮＳＳＳオケージョンにわたって少なくとも１つの測定を実施するためのものである、無線デバイス（１１０）。
【請求項１０】
前記異なるＮＳＳＳ送信ダイバーシティ設定が複数の異なるプリコーダを備える、請求項９に記載の無線デバイス。
【請求項１１】
前記少なくとも１つの測定を実施することが、一度にある数Ｎ個の連続するＮＳＳＳオケージョンに対して前記少なくとも１つの測定を実施することを含み、Ｎが整数であり、および／または、
前記少なくとも１つの測定を実施することが、ある数Ｍ個の測定オケージョン中に前記少なくとも１つの測定を推定することを含み、各測定オケージョン中に、Ｎ個の後続のＮＳＳＳサブフレームがサンプリングされ、および／または、
前記少なくとも１つの測定を実施することが、ある数Ｎ個の連続するＮＳＳＳオケージョンにわたる平均を決定することを含む、請求項９または１０に記載の無線デバイス。
【請求項１２】
各ＮＳＳＳオケージョンがサブフレームを備える、請求項９から１１のいずれか一項に記載の無線デバイス。
【請求項１３】
ＮＳＳＳ送信配信方式が、ＮＳＳＳアンテナポートの数Ｌと、各ＮＳＳＳアンテナポートから物理アンテナポートへのマッピングを指示する何らかのプリコーダ行列とを備える、請求項９から１２のいずれか一項に記載の無線デバイス。
【請求項１４】
前記少なくとも１つの測定を実施することが、ある数Ｋ個の狭帯域参照信号（ＮＲＳ）アンテナポートに対して前記少なくとも１つの測定を実施することを含み、Ｋが整数であり、随意に、
前記少なくとも１つの測定を実施することが、ある数Ｍ個の測定オケージョンに対する前記少なくとも１つの測定を推定しながら、前記数Ｍ個の測定オケージョンにわたる前記数Ｋ個のＮＲＳアンテナポートに対するＮＲＳ測定の等しい分布を得ることを試みることを含み、ＭはＫ以上である、請求項９から１３のいずれか一項に記載の無線デバイス。
【請求項１５】
前記少なくとも１つの測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、請求項９から１４のいずれか一項に記載の無線デバイス。
【請求項１６】
ネットワークノード（１１５）による方法（１０００）であって、
狭帯域２次同期信号（ＮＳＳＳ）信号を送信するためのＮＳＳＳ送信ダイバーシティ方式を決定することと、
無線デバイスによる、ＮＳＳＳオケージョンにわたる少なくとも１つの測定の実施のために、前記無線デバイスに前記ＮＳＳＳ送信ダイバーシティ方式に関係する情報を送信することであって、前記情報が、異なるＮＳＳＳ送信ダイバーシティ設定を使用するＮＳＳＳオケージョンの数を指示する、情報を送信することと
を含む、方法（１０００）。
【請求項１７】
前記異なるＮＳＳＳ送信ダイバーシティ設定が複数の異なるプリコーダを備える、請求項１６に記載の方法。
【請求項１８】
各ＮＳＳＳオケージョンがサブフレームを備える、請求項１６または１７に記載の方法。
【請求項１９】
前記ＮＳＳＳ送信ダイバーシティ方式を決定することが、前記ＮＳＳＳを前記無線デバイスに送信するためのＮＳＳＳアンテナポートの数Ｌを決定することを含み、および／または、
ＮＳＳＳ送信配信方式が、ＮＳＳＳアンテナポートの前記数Ｌと、前記数Ｌ個のアンテナポートの各々から物理アンテナポートへのマッピングを指示する何らかのプリコーダ行列とを備え、および／または、
前記無線デバイスに狭帯域参照信号（ＮＲＳ）アンテナポートの別個のセットを送信することをさらに含む、請求項１６から１８のいずれか一項に記載の方法。
【請求項２０】
前記少なくとも１つの測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、請求項１６から１９のいずれか一項に記載の方法。
【請求項２１】
ネットワークノード（１１５）であって、
命令を記憶するメモリ（７３０）と、
前記ネットワークノードに、
狭帯域２次同期信号（ＮＳＳＳ）信号を送信するためのＮＳＳＳ送信ダイバーシティ方式を決定することと、
無線デバイスによる、ＮＳＳＳオケージョンにわたる少なくとも１つの測定の実施のために、前記無線デバイスに前記ＮＳＳＳ送信ダイバーシティ方式に関係する情報を送信することであって、前記情報が、異なるＮＳＳＳ送信ダイバーシティ設定を使用するＮＳＳＳオケージョンの数を指示する、情報を送信することと
を行わせるために前記命令を実行するように動作可能な処理回路要素（７２０）と
を備える、ネットワークノード（１１５）。
【請求項２２】
前記異なるＮＳＳＳ送信ダイバーシティ設定が複数の異なるプリコーダを備える、請求項２１に記載のネットワークノード。
【請求項２３】
各ＮＳＳＳオケージョンがサブフレームを備える、請求項２１または２２に記載のネットワークノード。
【請求項２４】
前記ＮＳＳＳ送信ダイバーシティ方式を決定することが、前記ＮＳＳＳを前記無線デバイスに送信するためのＮＳＳＳアンテナポートの数Ｌを決定することを含み、随意に、
ＮＳＳＳ送信配信方式が、ＮＳＳＳアンテナポートの前記数Ｌと、ある数Ｋ個のアンテナポートの各々から物理アンテナポートへのマッピングを指示する何らかのプリコーダ行列とを備え、および／または、
前記処理回路要素が、前記ネットワークノードに、狭帯域参照信号（ＮＲＳ）アンテナポートの別個のセットを前記無線デバイスに送信させるために前記命令を実行するように動作可能である、請求項２１から２３のいずれか一項に記載のネットワークノード。
【請求項２５】
前記少なくとも１つの測定が、
少なくとも１つの狭帯域信号受信電力（ＮＲＳＲＰ）測定、
少なくとも１つの参照信号受信電力（ＲＳＲＰ）測定、
少なくとも１つの受信信号強度インジケータ（ＲＳＳＩ）測定、または
少なくとも１つの参照信号受信品質（ＲＳＲＱ）測定
を含む、請求項２１から２４のいずれか一項に記載のネットワークノード。
【国際調査報告】
2021505009.tif 000039
2021505009.tif 000040